(57)【特許請求の範囲】
【請求項１】
商品を複数のユーザによって共同購入する際の課金処理を行う割勘課金処理方法において、
共同購入端末のコンテンツ選択手段が行う、予め取得し保持された商品一覧と対応する商品を一意に識別する為の商品ＩＤを利用し、入力手段を介してユーザにより入力された共同購入される商品を選択し、当該選択された商品の商品ＩＤをメモリに保持し、その商品ＩＤと予め共同購入端末情報保持手段に保持している当該共同購入端末を識別する共同購入端末情報とを課金サーバに送信して当該商品の購入代金を示す課金情報の提示を要求するステップと、
前記課金サーバの課金情報提示手段が行う、前記共同購入端末から商品ＩＤと共同購入端末情報とを受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を前記共同購入端末に送信するステップと、
前記共同購入端末の割勘購入ＩＤ生成手段が行う、前記商品の共同購入を識別する為の割勘購入ＩＤを生成するステップと、
前記共同購入端末の支払情報入力依頼手段が行う、前記生成された割勘購入ＩＤと課金サーバから送信された課金情報とを端末間通信手段を介して携帯端末に送信し、各携帯端末のユーザの支払額を示す支払情報の入力を依頼するステップと、
前記携帯端末の支払情報作成手段が行う、前記共同購入端末から送信された課金情報をユーザに示して支払額の入力を受付け、前記割勘購入ＩＤ、支払いを行うユーザのユーザＩＤ、パスワード、および支払額からなる支払情報を作成し、端末間通信手段を介して前記共同購入端末に送信するステップと、
前記共同購入端末の割勘情報作成手段が行う、各携帯端末から共同購入端末に送信された支払情報の内で同じ割勘購入ＩＤを持つ支払額の合計が前記課金情報の購入代金に達している場合に、割勘購入ＩＤ、商品ＩＤ、共同購入端末情報、および当該商品を購入する複数のユーザのユーザＩＤ、パスワード、支払額とからなる割勘情報を作成して前記課金サーバに送信するステップと、
前記課金サーバの課金処理手段が行う、前記送信された割勘情報に含まれるユーザＩＤとパスワードとが課金サーバに予め登録されているものと全て一致している場合には、各ユーザ毎に設定された支払額を課金した後、前記課金テーブルを参照し前記受信した割勘情報に含まれる商品ＩＤに対応する商品提供装置のアドレスを特定し、その特定したアドレスの商品提供装置に前記課金処理の行われた商品の提供を依頼するステップと、
前記共同購入端末の商品受信手段が行う、前記商品提供装置から提供された商品を受付けるステップと
を有することを特徴とする割勘課金処理方法。
【請求項２】
商品を複数のユーザによって共同購入する際の課金処理を行う割勘課金処理方法において、
共同購入端末のコンテンツ選択手段が行う、予め取得し保持された商品一覧と対応する商品を一意に識別する為の商品ＩＤを利用し、入力手段を介してユーザにより入力された共同購入される商品を選択し、当該選択された商品の商品ＩＤをメモリに保持し、その商品ＩＤと予め共同購入端末情報保持手段に保持している当該共同購入端末を識別する共同購入端末情報とを課金サーバに送信して当該商品の購入代金を示す課金情報の提示を要求するステップと、
前記課金サーバの課金情報提示手段が行う、前記共同購入端末から商品ＩＤと共同購入端末情報とを受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を前記共同購入端末に送信するステップと、
前記共同購入端末の割勘購入ＩＤ生成手段が行う、前記商品の共同購入を識別する為の割勘購入ＩＤを生成するステップと、
前記共同購入端末の支払情報入力依頼手段が行う、前記生成された割勘購入ＩＤと課金サーバから送信された課金情報とを端末間通信手段を介して携帯端末に送信し、各携帯端末のユーザの支払額を示す支払情報の入力及び課金サーバへの送信を依頼するステップと、
前記携帯端末の支払情報作成手段が行う、前記共同購入端末から送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信するステップと、
前記課金サーバの課金処理手段が行う、各携帯端末から送信された支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼するステップと、
前記共同購入端末の商品受信手段が行う、前記商品提供装置から提供された商品を受付けるステップと
を有することを特徴とする割勘課金処理方法。
【請求項３】
商品を複数のユーザによって共同購入する際の課金処理を行う割勘課金処理方法において、
共同購入端末のコンテンツ選択手段が行う、予め取得し保持された商品一覧と対応する商品を一意に識別する為の商品ＩＤを利用し、入力手段を介してユーザにより入力された共同購入される商品を選択し、当該選択された商品の商品ＩＤをメモリに保持するステップと、
共同購入端末の割勘購入ＩＤ生成手段が行う、前記商品の共同購入を識別する為の割勘購入ＩＤを生成するステップと、
前記共同購入端末の課金情報要求手段が行う、前記割勘購入ＩＤ、前記商品を共同購入するユーザの携帯端末を識別する為の携帯端末情報、前記メモリに保持した商品ＩＤ、予め共同購入端末情報保持手段に保持している当該共同購入端末を識別する共同購入端末情報とを課金サーバに送信して当該商品の購入代金を示す課金情報の携帯端末への提示を要求するステップと、
前記課金サーバの課金情報提示手段が行う、商品ＩＤとその商品ＩＤで識別される商品の購入代金と当該商品の配信を行う商品提供装置のアドレスとを保持した課金テーブルを利用し、受信した商品ＩＤにより特定される商品の課金情報、および前記受信した割勘購入ＩＤ、商品ＩＤ、共同購入端末情報とを前記携帯端末情報で識別される携帯端末に送信するステップと、
前記携帯端末の支払情報作成手段が行う、前記課金サーバから送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信するステップと、
前記課金サーバの課金処理手段が行う、各携帯端末から送信された支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼するステップと、
前記共同購入端末の商品受信手段が行う、前記商品提供装置から提供された商品を受付けるステップと
を有することを特徴とする割勘課金処理方法。
【請求項４】
商品を複数のユーザによって共同購入する際の課金処理を行う割勘課金処理方法において、
共同購入端末のコンテンツ選択手段が行う、予め取得し保持された商品一覧と対応する商品を一意に識別する為の商品ＩＤを利用し、入力手段を介してユーザにより入力された共同購入される商品を選択し、当該選択された商品の商品ＩＤをメモリに保持するステップと、
共同購入端末の割勘購入ＩＤ生成手段が行う、前記商品の共同購入を識別する為の割勘購入ＩＤを生成し、生成された割勘購入ＩＤ、前記メモリに保持した商品ＩＤ、予め共同購入端末情報保持手段に保持している当該共同購入端末を識別する共同購入端末情報とを端末間通信手段を介して携帯端末に送信するステップと、
携帯端末の課金情報要求手段が行う、当該携帯端末を識別する為の携帯端末情報と受信した商品ＩＤとを課金サーバに送信して当該商品の購入代金を示す課金情報の提示を要求するステップと、
前記課金サーバの課金情報提示手段が行う、商品ＩＤとその商品ＩＤで識別される商品の購入代金と当該商品の配信を行う商品提供装置のアドレスとを保持した課金テーブルを利用し、受信した商品ＩＤにより特定される商品の課金情報を受信した携帯端末情報で識別される携帯端末に送信するステップと、
前記携帯端末の支払情報作成手段が行う、前記課金サーバから送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信するステップと、
前記課金サーバの課金処理手段が行う、各携帯端末から送信された支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼するステップと、
前記共同購入端末の商品受信手段が行う、前記商品提供装置から提供された商品を受付けるステップと
を有することを特徴とする割勘課金処理方法。
【請求項５】
商品を複数のユーザによって共同購入する際の課金処理を行う割勘課金処理方法において、
任意端末のコンテンツ選択手段が行う、予め取得し保持された商品一覧と対応する商品を一意に識別する為の商品ＩＤを利用し、ユーザにより入力された共同購入される商品を選択し、当該選択された商品の商品ＩＤをメモリに保持するステップと、
任意端末の割勘購入ＩＤ生成手段が行う、前記商品の共同購入を識別する為の割勘購入ＩＤを生成するステップと、
任意端末の課金情報提示手段が行う、前記商品ＩＤ、前記割勘購入ＩＤ、および当該商品の課金情報とを端末間通信手段を介して携帯端末に送信するステップと、
前記携帯端末の支払情報作成手段が行う、前記任意端末から送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信するステップと、
前記課金サーバの課金処理手段が行う、各携帯端末から送信された支払情報をメモリに保存し、商品ＩＤとその商品ＩＤで識別される商品の購入代金と当該商品の配信を行う商品提供装置のアドレスとを保持した課金テーブルを利用し、メモリに保存した支払情報の内で同じ割勘購入ＩＤを持つ支払額の合計がその支払情報に含まれる商品ＩＤで特定される商品の購入代金に達している場合には、各ユーザ毎に設定された支払額を課金するステップと、
前記課金サーバの課金結果通知手段が行う、課金処理が終了したユーザのユーザＩＤ、パスワード、および割勘購入ＩＤと商品ＩＤからなる課金結果を保存し、課金処理が正常に終了した共同購入の割勘購入ＩＤを携帯端末に通知するステップと、
前記携帯端末の視聴要求手段が行う、前記通知された割勘購入ＩＤ、およびユーザＩＤとパスワードを指定し、課金処理が正常に終了した商品の提供要求を共同購入端末に送信するステップと、
前記共同購入端末の共同購入要求手段が行う、携帯端末から割勘購入ＩＤ、ユーザＩＤとパスワードを受信し、割勘購入ＩＤ毎にユーザＩＤとパスワードを保存し、割勘購入ＩＤ、ユーザＩＤ、パスワードを含む共同購入要求を課金サーバに送信し、前記割勘購入ＩＤで識別される商品の提供を要求するステップと、
前記課金サーバの配信許可確認手段が行う、保存している課金結果のなかで受信した共同購入要求に含まれる割勘購入ＩＤと一致するデータを選択しユーザＩＤとパスワードが一致していれば、前記課金テーブルを参照し提供すべき商品に対応する商品提供装置のアドレスを特定し、その特定したアドレスの商品提供装置に商品の提供を依頼するステップと、
前記共同購入端末の商品受信手段が行う、前記商品提供装置から提供された商品を受付けるステップと
を有することを特徴とする割勘課金処理方法。
【請求項６】
商品を複数のユーザによって共同購入する際の課金処理を行う、共同購入端末と課金サーバと携帯端末からなる割勘課金処理システムにおいて、
前記共同購入端末は、
携帯端末との通信を行う端末間通信手段と、
予め取得し保持された商品一覧と対応する商品を一意に識別する為の商品ＩＤを利用し、入力手段を介してユーザにより入力された共同購入される商品を選択し、当該選択された商品の商品ＩＤをメモリに保持し、その商品ＩＤと予め共同購入端末情報保持手段に保持している当該共同購入端末を識別する共同購入端末情報とを課金サーバに送信して当該商品の購入代金を示す課金情報の提示を要求するコンテンツ選択手段と、
前記商品の共同購入を識別する為の割勘購入ＩＤを生成する割勘購入ＩＤ生成手段と、
前記生成された割勘購入ＩＤと課金サーバから送信された課金情報とを端末間通信手段を介して携帯端末に送信し、各携帯端末のユーザの支払額を示す支払情報の入力を依頼する支払情報入力依頼手段と、
各携帯端末から共同購入端末に送信された支払情報の内で同じ割勘購入ＩＤを持つ支払額の合計が前記課金情報の購入代金に達している場合に、割勘購入ＩＤ、商品ＩＤ、共同購入端末情報、および当該商品を購入する複数のユーザのユーザＩＤ、パスワード、支払額とからなる割勘情報を作成して前記課金サーバに送信する割勘情報作成手段と、
課金サーバが依頼した商品提供装置から提供された商品を受付ける商品受信手段と、
を有し、
前記課金サーバは、
前記共同購入端末から商品ＩＤと共同購入端末情報とを受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を前記共同購入端末に送信する課金情報提示手段と、
共同購入端末から送信された割勘情報に含まれるユーザＩＤとパスワードとが課金サーバに予め登録されているものと全て一致している場合には、各ユーザ毎に設定された支払額を課金した後、前記課金テーブルを参照し前記受信した割勘情報に含まれる商品ＩＤに対応する商品提供装置のアドレスを特定し、その特定したアドレスの商品提供装置に前記課金処理の行われた商品の提供を依頼する課金処理手段と、
を有し、
前記携帯端末は、
共同購入端末との通信を行う端末間通信手段と、
前記共同購入端末から送信された課金情報をユーザに示して支払額の入力を受付け、前記割勘購入ＩＤ、支払いを行うユーザのユーザＩＤ、パスワード、および支払額からなる支払情報を作成し、端末間通信手段を介して前記共同購入端末に送信する支払情報作成手段と、
を有することを特徴とする割勘課金処理システム。
【請求項７】
商品を複数のユーザによって共同購入する際の課金処理を行う、共同購入端末と課金サーバと携帯端末からなる割勘課金処理システムにおいて、
前記共同購入端末は、
携帯端末との通信を行う端末間通信手段と、
予め取得し保持された商品一覧と対応する商品を一意に識別する為の商品ＩＤを利用し、入力手段を介してユーザにより入力された共同購入される商品を選択し、当該選択された商品の商品ＩＤをメモリに保持し、その商品ＩＤと予め共同購入端末情報保持手段に保持している当該共同購入端末を識別する共同購入端末情報とを課金サーバに送信して当該商品の購入代金を示す課金情報の提示を要求するコンテンツ選択手段と、
前記商品の共同購入を識別する為の割勘購入ＩＤを生成する割勘購入ＩＤ生成手段と、
前記生成された割勘購入ＩＤと課金サーバから送信された課金情報とを端末間通信手段を介して携帯端末に送信して各携帯端末のユーザの支払額を示す支払情報の入力及び課金サーバへの送信を依頼する支払情報入力依頼手段と、
課金サーバが依頼した商品提供装置から提供された商品を受付ける商品受信手段と、
を有し、
前記課金サーバは、
前記共同購入端末から商品ＩＤと共同購入端末情報とを受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を前記共同購入端末に送信する課金情報提示手段と、
各携帯端末から送信された支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼する課金処理手段と、
を有し、
前記携帯端末は、
共同購入端末との通信を行う端末間通信手段と、
前記共同購入端末から送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信する支払情報作成手段と、
を有することを特徴とする割勘課金処理システム。
【請求項８】
商品を複数のユーザによって共同購入する際の課金処理を行う、共同購入端末と課金サーバと携帯端末からなる割勘課金処理システムにおいて、
前記共同購入端末は、
予め取得し保持された商品一覧と対応する商品を一意に識別する為の商品ＩＤを利用し、入力手段を介してユーザにより入力された共同購入される商品を選択し、当該選択された商品の商品ＩＤをメモリに保持するコンテンツ選択手段と、
前記商品の共同購入を識別する為の割勘購入ＩＤを生成する割勘購入ＩＤ生成手段と、
前記割勘購入ＩＤ、前記商品を共同購入するユーザの携帯端末を識別する為の携帯端末情報、前記メモリに保持した商品ＩＤ、予め共同購入端末情報保持手段に保持している当該共同購入端末を識別する共同購入端末情報とを課金サーバに送信して当該商品の課金情報の携帯端末への提示を要求する課金情報要求手段と、
課金サーバが依頼した商品提供装置から提供された商品を受付ける商品受信手段と、
を有し、
前記課金サーバは、
商品ＩＤとその商品ＩＤで識別される商品の購入代金と当該商品の配信を行う商品提供装置のアドレスとを保持した課金テーブルを利用し、受信した商品ＩＤにより特定される商品の課金情報、および前記受信した割勘購入ＩＤ、商品ＩＤ、共同購入端末情報とを前記携帯端末情報で識別される携帯端末に送信する課金情報提示手段と、
各携帯端末から送信された支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼する課金処理手段と、
を有し、
前記携帯端末は、
前記課金サーバから送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信する支払情報作成手段
を有することを特徴とする割勘課金処理システム。
【請求項９】
商品を複数のユーザによって共同購入する際の課金処理を行う、共同購入端末と課金サーバと携帯端末からなる割勘課金処理システムにおいて、
前記共同購入端末は、
予め取得し保持された商品一覧と対応する商品を一意に識別する為の商品ＩＤを利用し、入力手段を介してユーザにより入力された共同購入される商品を選択し、当該選択された商品の商品ＩＤをメモリに保持するコンテンツ選択手段と、
前記商品の共同購入を識別する為の割勘購入ＩＤを生成し、生成された割勘購入ＩＤ、前記メモリに保持した商品ＩＤ、予め共同購入端末情報保持手段に保持している当該共同購入端末を識別する為の共同購入端末情報とを端末間通信手段を介して携帯端末に送信する割勘購入ＩＤ生成手段と
課金サーバが依頼した商品提供装置から提供された商品を受付ける商品受信手段と、
を有し、
前記課金サーバは、
商品ＩＤとその商品ＩＤで識別される商品の購入代金と当該商品の配信を行う商品提供装置のアドレスとを保持した課金テーブルを利用し、受信した商品ＩＤにより特定される商品の課金情報を受信した携帯端末情報で識別される携帯端末に送信する課金情報提示手段と、
各携帯端末から送信された支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼する課金処理手段と、
を有し、
前記携帯端末は、
当該携帯端末を識別する為の携帯端末情報と受信した商品ＩＤとを課金サーバに送信して当該商品の購入代金を示す課金情報の提示を要求する課金情報要求手段と、
前記課金サーバから送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信する支払情報作成手段と、
を有することを特徴とする割勘課金処理システム。
【請求項１０】
商品を複数のユーザによって共同購入する際の課金処理を行う、任意端末と共同購入端末と課金サーバと携帯端末からなる割勘課金処理システムにおいて、
前記任意端末は、
携帯端末との通信を行う端末間通信手段と、
予め取得し保持された商品一覧と対応する商品を一意に識別する為の商品ＩＤを利用し、ユーザにより入力された共同購入される商品を選択し、当該選択された商品の商品ＩＤをメモリに保持するコンテンツ選択手段と、
前記商品の共同購入を識別する為の割勘購入ＩＤを生成する割勘購入ＩＤ生成手段と、
前記商品ＩＤ、前記割勘購入ＩＤ、および当該商品の課金情報とを端末間通信手段を介して携帯端末に送信する課金情報提示手段と
を有し、
前記共同購入端末は、
前記携帯端末から割勘購入ＩＤ、ユーザＩＤとパスワードを受信し、割勘購入ＩＤ毎にユーザＩＤとパスワードを保存し、割勘購入ＩＤ、ユーザＩＤ、パスワードを含む共同購入要求を課金サーバに送信し、前記割勘購入ＩＤで識別される商品の提供を要求する共同購入要求手段と、
課金サーバが依頼した前記商品提供装置から提供された商品を受付ける商品受信手段と
を有し、
前記課金サーバは、
各携帯端末から送信された支払情報をメモリに保存し、商品ＩＤとその商品ＩＤで識別される商品の購入代金と当該商品の配信を行う商品提供装置のアドレスとを保持した課金テーブルを利用し、メモリに保存した支払情報の内で同じ割勘購入ＩＤを持つ支払額の合計がその支払情報に含まれる商品ＩＤで特定される商品の購入代金に達している場合には、各ユーザ毎に設定された支払額を課金する課金処理手段と、
課金処理が終了したユーザのユーザＩＤ、パスワード、および割勘購入ＩＤと商品ＩＤからなる課金結果を保存し、課金処理が正常に終了した共同購入の割勘購入ＩＤを携帯端末に通知する課金結果通知手段と、
保存している課金結果のなかで受信した共同購入要求に含まれる割勘購入ＩＤと一致するデータを選択しユーザＩＤとパスワードが一致していれば、前記課金テーブルを参照し提供すべき商品に対応する商品提供装置のアドレスを特定し、その特定したアドレスの商品提供装置に商品の提供を依頼する配信許可確認手段と、
を有し、
前記携帯端末は、
任意端末との通信を行う端末間通信手段と、
前記任意端末から送信された課金情報をユーザに示して支払額の入力を受付け、前記割勘購入ＩＤ、商品ＩＤ、支払いを行うユーザのユーザＩＤ、パスワード、および支払額からなる支払情報を作成して課金サーバに送信する支払情報作成手段と、
前記通知された割勘購入ＩＤ、およびユーザＩＤとパスワードを指定し、課金処理が正常に終了した商品の提供要求を共同購入端末に送信する視聴要求手段と、
を有することを特徴とする割勘課金処理システム。
【請求項１１】
商品を複数のユーザによって共同購入する際の共同購入端末と課金サーバと携帯端末からなる割勘課金処理システムにおける課金サーバが行う課金方法であって、
課金サーバの課金情報提示手段が行う、共同購入端末から共同購入される商品を識別する為の商品ＩＤと当該共同購入端末を識別する共同購入端末情報を受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を前記共同購入端末に送信するステップと、
課金サーバの課金処理手段が行う、共同購入端末から前記課金情報を受信した各携帯端末が送信する前記商品の共同購入を識別する為の割勘購入ＩＤ、商品ＩＤ、支払いを行うユーザのユーザＩＤ、パスワード、および支払額からなる支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼するステップとを有することを特徴とする課金方法。
【請求項１２】
商品を複数のユーザによって共同購入する際の共同購入端末と課金サーバと携帯端末からなる割勘課金処理システムにおける課金サーバが行う課金方法であって、
前記課金サーバの課金情報提示手段が行う、商品の共同購入を識別する為の割勘購入ＩＤ、前記商品を共同購入するユーザの携帯端末を識別する為の携帯端末情報、前記商品を識別する為の商品ＩＤ、共同購入端末を識別する共同購入端末情報とを共同購入端末から受信し、商品ＩＤとその商品ＩＤで識別される商品の購入代金と当該商品の配信を行う商品提供装置のアドレスとを保持した課金テーブルを利用し、商品ＩＤにより特定される商品の課金情報、および前記受信した割勘購入ＩＤとを前記携帯端末情報で識別される携帯端末に送信するステップと、
課金サーバの課金処理手段が行う、割勘購入ＩＤ、商品ＩＤ、支払いを行うユーザのユーザＩＤ、パスワード、および支払額からなる支払情報を携帯端末から受信してメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼するステップと、
を有することを特徴とする課金方法。
【請求項１３】
商品を複数のユーザによって共同購入する際の共同購入端末と課金サーバと携帯端末からなる割勘課金処理システムにおける課金サーバが行う課金方法であって、
前記課金サーバの課金情報提示手段が行う、共同購入される商品を識別する為の商品ＩＤと携帯端末を識別する為の携帯端末情報を携帯端末から受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を受信した携帯端末情報で識別される携帯端末に送信するステップと、
課金サーバの課金処理手段が行う、商品の共同購入を識別する為の割勘購入ＩＤ、商品ＩＤ、支払いを行うユーザのユーザＩＤ、パスワード、および支払額からなる支払情報を携帯端末から受信してメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼するステップと、
を有することを特徴とする課金方法。
【請求項１４】
商品を複数のユーザによって共同購入する際の共同購入端末と課金サーバと携帯端末からなる割勘課金処理システムにおける課金サーバが行う課金方法であって、
課金サーバの課金処理手段が行う、商品の共同購入を識別する為の割勘購入ＩＤ、当該商品を識別する為の商品ＩＤ、支払いを行うユーザのユーザＩＤ、パスワード、および支払額からなる支払情報を携帯端末から受信してメモリに保存し、商品ＩＤとその商品ＩＤで識別される商品の購入代金と当該商品の配信を行う商品提供装置のアドレスとを保持した課金テーブルを利用し、メモリに保存した支払情報の内で同じ割勘購入ＩＤを持つ支払額の合計がその支払情報に含まれる商品ＩＤで特定される商品の購入代金に達している場合には、各ユーザ毎に設定された支払額を課金するステップと、
前記課金サーバの課金結果通知手段が行う、課金処理が終了したユーザのユーザＩＤ、パスワード、および割勘購入ＩＤと商品ＩＤからなる課金結果を保存し、課金処理が正常に終了した共同購入の割勘購入ＩＤを課金結果として携帯端末に通知するステップと、
前記課金サーバの配信許可確認手段が行う、携帯端末から前記割勘購入ＩＤを受信した共同購入端末が送信する割勘購入ＩＤ、ユーザＩＤ、パスワードを含む共同購入要求を受信し、保存している課金結果のなかで受信した共同購入要求に含まれる割勘購入ＩＤと一致するデータを選択しユーザＩＤとパスワードが一致していれば、前記課金テーブルを参照し提供すべき商品に対応する商品提供装置のアドレスを特定し、その特定したアドレスの商品提供装置に商品の提供を依頼するステップと、
を有することを特徴とする課金方法。
【請求項１５】
商品を複数のユーザによって共同購入する際の共同購入端末と課金サーバと携帯端末からなる割勘課金処理システムにおける課金サーバであって、
共同購入端末から共同購入される商品を識別する為の商品ＩＤと当該共同購入端末を識別する共同購入端末情報を受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を前記共同購入端末に送信する課金情報提示手段と、
共同購入端末から前記課金情報を受信した各携帯端末が送信する前記商品の共同購入を識別する為の割勘購入ＩＤ、商品ＩＤ、支払いを行うユーザのユーザＩＤ、パスワード、および支払額からなる支払情報をメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼する課金処理手段とを備えることを特徴とする課金サーバ。
【請求項１６】
商品を複数のユーザによって共同購入する際の共同購入端末と課金サーバと携帯端末からなる割勘課金処理システムにおける課金サーバであって、
商品の共同購入を識別する為の割勘購入ＩＤ、前記商品を共同購入するユーザの携帯端末を識別する為の携帯端末情報、前記商品を識別する為の商品ＩＤ、共同購入端末を識別する共同購入端末情報とを共同購入端末から受信し、商品ＩＤとその商品ＩＤで識別される商品の購入代金と当該商品の配信を行う商品提供装置のアドレスとを保持した課金テーブルを利用し、商品ＩＤにより特定される商品の課金情報、および前記受信した割勘購入ＩＤとを前記携帯端末情報で識別される携帯端末に送信する課金情報提示手段と、
割勘購入ＩＤ、商品ＩＤ、支払いを行うユーザのユーザＩＤ、パスワード、および支払額からなる支払情報を携帯端末から受信してメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼する課金処理手段とを備えることを特徴とする課金サーバ。
【請求項１７】
商品を複数のユーザによって共同購入する際の共同購入端末と課金サーバと携帯端末からなる割勘課金処理システムにおける課金サーバであって、
共同購入される商品を識別する為の商品ＩＤと携帯端末を識別する為の携帯端末情報を携帯端末から受信し、商品ＩＤとその商品ＩＤで識別される商品の購入代金と当該商品の配信を行う商品提供装置のアドレスとを保持した課金テーブルを利用し、受信した商品ＩＤにより特定される商品の課金情報を受信した携帯端末情報で識別される携帯端末に送信する課金情報提示手段と、
商品の共同購入を識別する為の割勘購入ＩＤ、商品ＩＤ、支払いを行うユーザのユーザＩＤ、パスワード、および支払額からなる支払情報を携帯端末から受信してメモリに保存し、メモリに保存した支払情報の内で同じ割勘購入ＩＤを持つ支払額の合計がその支払情報に含まれる商品ＩＤで特定される商品の購入代金に達しており、その支払情報に含まれるユーザＩＤとパスワードとが課金サーバに予め登録されているものと一致している場合には、各ユーザ毎に設定された支払額を課金した後、前記課金テーブルを参照し支払情報に含まれる商品ＩＤに対応する商品提供装置のアドレスを特定し、その特定したアドレスの商品提供装置に前記課金処理の行われた商品の提供を依頼する課金処理手段とを備えることを特徴とする課金サーバ。
【請求項１８】
商品を複数のユーザによって共同購入する際の共同購入端末と課金サーバと携帯端末からなる割勘課金処理システムにおける課金サーバであって、
商品の共同購入を識別する為の割勘購入ＩＤ、当該商品を識別する為の商品ＩＤ、支払いを行うユーザのユーザＩＤ、パスワード、および支払額からなる支払情報を携帯端末から受信してメモリに保存し、商品ＩＤとその商品ＩＤで識別される商品の購入代金と当該商品の配信を行う商品提供装置のアドレスとを保持した課金テーブルを利用し、メモリに保存した支払情報の内で同じ割勘購入ＩＤを持つ支払額の合計がその支払情報に含まれる商品ＩＤで特定される商品の購入代金に達している場合には、各ユーザ毎に設定された支払額を課金する課金処理手段と、
課金処理が終了したユーザのユーザＩＤ、パスワード、および割勘購入ＩＤと商品ＩＤからなる課金結果を保存し、課金処理が正常に終了した共同購入の割勘購入ＩＤを課金結果として携帯端末に通知する課金結果通知手段と、
携帯端末から前記割勘購入ＩＤを受信した共同購入端末が送信する割勘購入ＩＤ、ユーザＩＤ、パスワードを含む共同購入要求を受信し、保存している課金結果のなかで受信した共同購入要求に含まれる割勘購入ＩＤと一致するデータを選択しユーザＩＤとパスワードが一致していれば、前記課金テーブルを参照し提供すべき商品に対応する商品提供装置のアドレスを特定し、その特定したアドレスの商品提供装置に商品の提供を依頼する提供許可確認手段とを備えることを特徴とする課金サーバ。
【請求項１９】
前記請求項１１乃至請求項１４のいずれか１項の課金方法をコンピュータに実行させることを特徴とするプログラム。
【請求項２０】
前記請求項１９のプログラムを記録したことを特徴とするコンピュータ読み取り可能な記録媒体。
【発明の詳細な説明】
【０００１】
【発明の属する技術分野】
本発明はコンテンツやサービス等の商品を複数のユーザによって共同購入する際の課金処理を行う割勘課金処理システムに関し、特にインターネット等のデータ通信ネットワークや電波を使って配信されるコンテンツ（特に映像、音楽、ゲーム等）の商取引において、一つの商品の代金を複数人で分割して支払う、いわゆる“割勘”で購入することができる割勘課金処理システムに適用して有効な技術に関するものである。
【０００２】
【従来の技術】
従来、商品やサービスを割勘で購入する方法に関連する技術としては以下の様な技術があった。
（１）ネットワーク上で販売される商品やサービスの価格が、購入意思を示した買い手の人数によって変化しうるシステムに関するもので、予め決められた所定期間内に購入意思を示した買い手の数により、商品或いはサービスの価格が下がっていくもの（特開２００１−６７４２０号公報「データ通信ネットワークを基盤とした商取引システム」）。
（２）割勘処理機能を備えたカード端末装置に関するもので、プリペイドカードに書込まれた残金としての金額情報から販売額を引落す際に割勘方式で複数のカードから引落すもの（特開平５−１７４２３２号公報「割勘処理機能付カード端末装置」）。
【０００３】
【発明が解決しようとする課題】
しかし、上記の従来の技術には以下の様な問題があった。
（１）所定の期間が経過して買い手の募集が終了しないと買い手は商品を購入することはできない。また、それぞれが支払う単価が下がるものであり、共同で料金を負担する、つまり割勘はできない。
（２）プリペイドカードを使用するため、カードから残金情報等を読み込む為の端末装置が買い手のそばになければならない。また、事前にカードを購入しておかなければならない。
本発明の目的は上記問題を解決し、ある商品を単一の端末上で複数のユーザによって同時に利用する際に、支払う意志のある複数のユーザに対して各ユーザの希望する負担割合や負担金額で課金処理を行った後に商品を提供することが可能な技術を提供することにある。
【０００４】
【課題を解決するための手段】
本発明は、商品を複数のユーザによって共同購入する際の課金処理を行う割勘課金処理システムにおいて、共同購入される商品の課金情報に対して複数のユーザから入力された支払額の合計が当該商品の購入代金に達している場合に各ユーザ毎の課金処理を行ってその商品を共同購入端末へ提供するものである。
【０００５】
本発明の割勘課金処理システムでは、共同購入されるコンテンツやサービス等の商品の選択を利用者から受付けると、当該商品を識別する為の商品ＩＤを課金サーバに送信して当該商品の購入代金を示す課金情報の提示を課金サーバに要求し、前記商品の課金情報を課金サーバから共同購入端末または携帯端末等のユーザ側の装置に送信する。
【０００６】
前記課金情報がユーザ側の装置に送信されると、その装置では受信した課金情報を表示して各ユーザに示した後、各ユーザが負担を希望する支払額の入力を受付ける。そして、その受付けた支払額の合計と前記課金情報の購入代金とを比較し、その支払額の合計が当該商品の購入代金に達している場合には、その商品の共同購入に際して各ユーザが入力した支払額を示す情報を用いて課金サーバで各ユーザ毎に課金処理を行った後、その課金処理の行われた商品の提供を商品提供装置に依頼する。
【０００７】
商品提供装置は、課金サーバから商品の提供依頼を受けると、その依頼されたコンテンツやサービスに相当するデータを商品提供装置から当該ユーザの共同購入端末へ提供し、前記共同購入を行った複数のユーザは、前記商品提供装置から提供された商品をそのユーザの共同購入端末で受付けて、単一の共同購入端末上で複数のユーザによって同時に当該コンテンツやサービスを利用する。
【０００８】
以上の様に本発明の割勘課金処理システムによれば、共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【０００９】
【発明の実施の形態】
（実施形態１）
以下に共同購入端末により商品の共同購入を行う実施形態１の割勘課金処理システムについて説明する。
図１は本実施形態の割勘課金処理システムの構成例を示す図である。図１に示す様に本実施形態の割勘課金処理システムは、共同購入端末１００と、課金サーバ１１０と、配信装置１２０とを有している。
【００１０】
共同購入端末１００は、共同購入されるコンテンツを識別する為のコンテンツＩＤ（Ｃ）を課金サーバ１１０に送信して当該コンテンツのコンテンツ代金を示す課金情報（Ｍ）の提示を要求し、課金情報（Ｍ）を各ユーザに示して支払額（Ｐｍ）の入力を受付け、その受付けた支払額（Ｐｍ）の合計が課金情報（Ｍ）のコンテンツ代金に達している場合に各ユーザの支払額（Ｐｍ）を示す割勘情報（Ｗ）を作成して課金サーバ１１０に送信し、割勘情報（Ｗ）により課金処理の行われたコンテンツの配信を配信装置１２０から受付ける装置である。
【００１１】
課金サーバ１１０は、課金情報（Ｍ）を共同購入端末１００に送信し、共同購入端末１００から受信した割勘情報（Ｗ）により各ユーザの支払額（Ｐｍ）の課金処理を行った後、その課金処理の行われたコンテンツの配信を配信装置１２０に依頼する処理装置である。配信装置１２０は、前記依頼されたコンテンツを共同購入端末１００へ配信する商品提供装置である。
【００１２】
共同購入端末１００は、入力手段１０１と、コンテンツ選択手段１０２と、共同購入端末情報保持手段１０３と、割勘情報作成・送信手段１０４と、コンテンツ信号受信・再生処理手段１０５とを有している。
【００１３】
入力手段１０１は、ユーザにより入力されたデータを検出し、必要に応じて各手段に伝達する処理部である。コンテンツ選択手段１０２は、共同購入される商品であるコンテンツの選択を受け付け、そのコンテンツＩＤ（Ｃ）を課金サーバ１１０に送信して当該コンテンツのコンテンツ代金を示す課金情報（Ｍ）の提示を要求する処理部である。
【００１４】
共同購入端末情報保持手段１０３は、共同購入端末１００を識別する為の情報である共同購入端末情報（Ｋ）を保持する処理部である。割勘情報作成・送信手段１０４は、課金情報（Ｍ）を各ユーザに示して支払額（Ｐｍ）の入力を受付け、その受付けた支払額（Ｐｍ）の合計が課金情報（Ｍ）のコンテンツ代金に達している場合に各ユーザの支払額（Ｐｍ）を示す割勘情報（Ｗ）を作成して課金サーバ１１０に送信する処理部である。コンテンツ信号受信・再生処理手段１０５は、割勘情報（Ｗ）により課金処理の行われたコンテンツの配信を配信装置１２０から受付ける処理部である。
【００１５】
共同購入端末１００を入力手段１０１、コンテンツ選択手段１０２、共同購入端末情報保持手段１０３、割勘情報作成・送信手段１０４及びコンテンツ信号受信・再生処理手段１０５として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００１６】
課金サーバ１１０は、課金情報提示手段１１１と、課金処理手段１１２とを有している。
課金情報提示手段１１１は、コンテンツＩＤ（Ｃ）を共同購入端末１００から受信し、そのコンテンツＩＤ（Ｃ）で識別されるコンテンツの課金情報（Ｍ）を共同購入端末１００に送信する処理部である。
課金処理手段１１２は、課金情報（Ｍ）のコンテンツ代金に対する各ユーザの支払額（Ｐｍ）を示す割勘情報（Ｗ）を共同購入端末１００から受信してその割勘情報（Ｗ）により各ユーザの支払額（Ｐｍ）の課金処理を行った後、その課金処理の行われたコンテンツの配信を配信装置１２０に依頼する処理部である。
【００１７】
課金サーバ１１０を課金情報提示手段１１１及び課金処理手段１１２として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００１８】
配信装置１２０は配信手段１２１を有している。配信手段１２１は、前記依頼されたコンテンツを共同購入端末１００へ配信する処理部である。
配信装置１２０を配信手段１２１として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００１９】
本実施形態の割勘課金処理システムは、ネットワークを介して配信、或いは地上波や衛星からの電波を使って放送されるデジタルコンテンツ（映像、音楽、ゲーム等）を１台の端末で複数のユーザが共同で視聴したり利用したりする場合に、そのコンテンツの代金をユーザで分割して負担する、いわゆる“割勘”で購入することができるシステムであり、コンテンツを共同で視聴或いは利用する為の共同購入端末１００、割勘購入するユーザに課金する課金サーバ１１０、コンテンツを配信または放送する配信装置１２０からなる。本実施形態では、割勘購入のユーザが共同購入端末１００の前に揃っていることを想定している。
【００２０】
共同購入端末１００は、課金サーバ１１０及び配信装置１２０とネットワークで接続されている。また、上記地上波や衛星からの電波を用いた放送の様に配信装置１２０とは直接接続されていない場合もある。ユーザの入力により購入するコンテンツを選択し、割勘情報（Ｗ）を作成して課金サーバ１１０に送信し、配信装置１２０からコンテンツ信号（Ｖ）或いは再生許可信号（Ｖｐ）を受信してコンテンツの再生処理を行う。
【００２１】
課金サーバ１１０は、共同購入端末１００からコンテンツの選択結果を受信してそのコンテンツの課金情報（Ｍ）を共同購入端末１００に送信し、共同購入端末１００から受信した割勘情報（Ｗ）に基づき各ユーザに課金処理を行う。課金処理が終了したら、コンテンツ信号（Ｖ）の配信或いは再生許可信号（Ｖｐ）を共同購入端末１００に配信する様、配信装置１２０に依頼する。
配信装置１２０は、課金サーバ１１０からの依頼により、共同購入端末１００にコンテンツ（Ｖ）或いは再生許可信号（Ｖｐ）を配信する。
【００２２】
次に図１に示す各手段について説明する。本実施形態の共同購入端末１００は、入力手段１０１、コンテンツ選択手段１０２、共同購入端末情報保持手段１０３、割勘情報作成・送信手段１０４、コンテンツ信号受信・再生処理手段１０５を備えている。
【００２３】
入力手段１０１は、ユーザにより入力されたデータを検出し、必要に応じて各手段に伝達するものであり、例えばキーボードやマウスによる入力、或いは無線信号によるリモコンを用いた入力によるデータを検出するものである。
【００２４】
コンテンツ選択手段１０２は、ユーザによる入力を元に購入するコンテンツを選択し、該当するコンテンツを一意に識別する為の情報であるコンテンツＩＤ（Ｃ）を保持する。同時にそのコンテンツＩＤ（Ｃ）と共同購入端末１００に固有に割り振られた共同購入端末情報（Ｋ）を課金サーバ１１０に送信して課金情報（Ｍ）の提示を要求する。ここで、課金情報（Ｍ）は、少なくともコンテンツＩＤ（Ｃ）とコンテンツの代金の情報を含むものとする。
【００２５】
購入コンテンツの選択に際し、候補となるコンテンツの一覧及びそれに対応するコンテンツＩＤ（Ｃ）は、予め配信装置１２０から取得しておくものとする。また、チャンネルを切り替えることによりコンテンツを選択する様な場合では、チャンネルを切り替えた時にコンテンツＩＤ（Ｃ）を保持するものとする。
【００２６】
共同購入端末情報保持手段１０３は、共同購入端末１００を識別する為の情報である共同購入端末情報（Ｋ）を保持する。割勘情報作成・送信手段１０４は、ユーザによる入力を元に、購入するコンテンツＩＤ（Ｃ）、共同購入端末情報（Ｋ）、割勘でコンテンツを購入するユーザのユーザＩＤ（Ｕ）、各ユーザのみが知るパスワード（Ｐ）、それぞれが負担する支払額（Ｐｍ）からなる割勘情報（Ｗ）を作成する。ユーザＩＤ（Ｕ）は、各ユーザを一意に識別する為にユーザ毎に予め付与されるものである。パスワード（Ｐ）は名ユーザが独自に設定するもので原則として設定したユーザのみが知りうる情報であり、文字列の場合や指紋や虹彩等の個人に固有の生体的特徴に関する情報の場合がある。ユーザＩＤ（Ｕ）、パスワード（Ｐ）とも予め課金サーバ１１０に登録されているものとする。
【００２７】
支払額（Ｐｍ）の合計額が課金情報（Ｍ）のコンテンツ代金に等しければ課金サーバ１１０に送信し、割勘購入を依頼する。等しくない場合は、再度入力を促す画面をユーザに提示する。
【００２８】
図２は本実施形態の割勘情報（Ｗ）のデータ例を示す図である。図２に示す様に割勘情報（Ｗ）には、共同購入されるコンテンツのコンテンツＩＤ（Ｃ）と、当該コンテンツを受信して再生する共同購入端末１００の共同購入端末情報（Ｋ）と、当該コンテンツを購入する複数のユーザのユーザＩＤ（Ｕ）、パスワード（Ｐ）及び支払額（Ｐｍ）とが格納されている。
【００２９】
コンテンツ信号受信・再生処理手段１０５は、ネットワークを介して配信装置１２０からコンテンツ信号（Ｖ）を受信したり、或いは電波放送でスクランブル処理されたコンテンツ信号（Ｖ）を受信した上で再生許可信号（Ｖｐ）を電波またはネットワークを介して受信し、画面でコンテンツを再生する処理を行う。ここで、再生許可信号（Ｖｐ）とは、スクランブル等を解除する為の信号である。
【００３０】
課金サーバ１１０は、課金情報提示手段１１１と課金処理手段１１２を備えている。課金情報提示手段１１１は、共同購入端末１００から共同購入するコンテンツのコンテンツＩＤ（Ｃ）と共同購入端末情報（Ｋ）を受信して課金情報（Ｍ）の提示を要求されると、少なくともコンテンツＩＤ（Ｃ）により特定されるコンテンツの代金を含む課金情報（Ｍ）を共同購入端末１００に送信する。また、共同購入端末１００から割勘情報（Ｗ）を受信すると、各ユーザのユーザＩＤ（Ｕ）とパスワード（Ｐ）の組が予め登録されているものと同じであるかを確認し、異なるものがあれば共同購入端末１００に割勘での課金に失敗した旨を通知する。異なるものがなければ各ユーザ毎に設定された支払額（Ｐｍ）を課金処理する。終了後、コンテンツＩＤ（Ｃ）、共同購入端末情報（Ｋ）を配信装置１２０に送信し、コンテンツの配信を依頼する。
【００３１】
図３は本実施形態の課金テーブルの一例を示す図である。課金サーバ１１０は図３に示す様な課金テーブルを持っており、課金テーブルは、コンテンツＩＤと、そのコンテンツＩＤで識別されるコンテンツの購入に必要なコンテンツ代金と、当該コンテンツの配信を行う配信装置１２０のアドレスを保持している。
配信装置１２０は、配信手段１２１を備えている。コンテンツがネットワークを介して配信される場合には、配信装置１２０はサーバであり、課金サーバ１１０からコンテンツＩＤ（Ｃ）、共同購入端末情報（Ｋ）を受信してコンテンツの配信を依頼されると、そのコンテンツＩＤ（Ｃ）を用いて配信対象のコンテンツを特定し、そのコンテンツのコンテンツ信号（Ｖ）を共同購入端末１００に配信する。また、コンテンツが電波を使って放送される場合には、配信装置１２０は電波塔や衛星装置を使って、課金処理が行われていないユーザに視聴させない為にスクランブル処理等が施されたコンテンツ信号（Ｖ）を放送すると共に、電波、或いはネットワークを介して再生許可信号（Ｖｐ）を配信する。
以下、本実施形態の割勘課金処理システムの処理手順について図を用いて説明する。
【００３２】
図４は本実施形態の共同購入端末１００の処理手順を示すフローチャートである。図４に示す様に共同購入端末１００のコンテンツ選択手段１０２は、共同購入される商品であるコンテンツの選択を受け付けて課金情報（Ｍ）の提示を要求する処理を行い、割勘情報作成・送信手段１０４は、各ユーザから受付けた支払額（Ｐｍ）の合計が課金情報（Ｍ）のコンテンツ代金に達している場合に各ユーザの支払額（Ｐｍ）を示す割勘情報（Ｗ）を作成して課金サーバ１１０に送信する処理を行う。またコンテンツ信号受信・再生処理手段１０５は、割勘情報（Ｗ）により課金処理の行われたコンテンツの配信を配信装置１２０から受付けて再生する処理を行う。
【００３３】
ステップ４０１で共同購入端末１００のコンテンツ選択手段１０２は、予め取得済みのコンテンツ一覧の中からの購入コンテンツの選択、或いはチャンネルを合わせた後に購入決定ボタンの押下等のユーザの入力を検出すると、その入力によるコンテンツの選択を受け付け、ステップ４０２では、前記選択されたコンテンツ対応するコンテンツＩＤ（Ｃ）を共同購入端末１００のメモリに保持する。
【００３４】
ステップ４０３では、そのコンテンツＩＤ（Ｃ）と予め保持している共同購入端末情報（Ｋ）を課金サーバ１１０に送信し、課金情報（Ｍ）の提示を課金サーバ１１０に要求する。
ステップ４０４で課金サーバ１１０より課金情報（Ｍ）を取得すると、ステップ４０５で割勘情報作成・送信手段１０４は、割勘情報（Ｗ）を作成する為に、ユーザＩＤ（Ｕ）、パスワード（Ｐ）、支払額（Ｐｍ）の入力をユーザに求める画面を提示する。
【００３５】
ステップ４０６で割勘情報作成・送信手段１０４は、ユーザの入力を検出し、支払額（Ｐｍ）の合計が課金情報（Ｍ）に含まれるコンテンツ代金に等しくない場合にはステップ４１０へ進んで再入力をユーザに促す画面を提示し、等しければステップ４０７へ進んで割勘情報（Ｗ）を課金サーバ１１０に送信する。
ステップ４０８でコンテンツ信号受信・再生処理手段１０５は、配信装置１２０より、コンテンツ信号（Ｖ）または再生許可信号（Ｖｐ）を受信し、コンテンツの再生処理を行って終了する。
【００３６】
図５は本実施形態の課金サーバ１１０の処理手順を示すフローチャートである。図５に示す様に課金サーバ１１０の課金情報提示手段１１１は、コンテンツＩＤ（Ｃ）を共同購入端末１００から受信して課金情報（Ｍ）を共同購入端末１００に送信する処理を行う。また課金処理手段１１２は、各ユーザの支払額（Ｐｍ）を示す割勘情報（Ｗ）を共同購入端末１００から受信して各ユーザの課金処理を行った後、その課金処理の行われたコンテンツの配信を配信装置１２０に依頼する処理を行う。
【００３７】
ステップ５０１で課金サーバ１１０の課金情報提示手段１１１は、共同購入端末１００より、コンテンツＩＤ（Ｃ）及び共同購入端末１００（Ｋ）を受信すると、ステップ５０２で課金情報提示手段１１１は、前記受信したコンテンツＩＤ（Ｃ）を用いてコンテンツを特定し、該当する課金情報（Ｍ）であるコンテンツ代金を課金テーブル（図３）から読み出して共同購入端末１００に送信する。
【００３８】
ステップ５０３で課金処理手段１１２は、前記送信した課金情報（Ｍ）のコンテンツ代金に対する各ユーザの支払額（Ｐｍ）を示す割勘情報（Ｗ）を共同購入端末１００から受信するとステップ５０４の処理へ進む。
【００３９】
ステップ５０４で課金処理手段１１２は、前記受信した割勘情報（Ｗ）に含まれる各ユーザのユーザＩＤ（Ｕ）とパスワード（Ｐ）が予め課金サーバ１１０に登録されているものと一致するかどうかを調べ、一致していないものがある場合には、ステップ５０７で共同購入端末１００に割勘課金が失敗した旨を通知して処理を終了する。
【００４０】
また各ユーザのユーザＩＤ（Ｕ）とパスワード（Ｐ）を調べた結果、前記受信した割勘情報（Ｗ）中のユーザＩＤ（Ｕ）とパスワード（Ｐ）が課金サーバ１１０に登録されているものと全て一致している場合にはステップ５０５へ進み、各ユーザ毎に設定された支払額（Ｐｍ）を課金する。
【００４１】
ステップ５０６で課金処理手段１１２は、課金テーブル（図３）を参照し、前記受信した割勘情報（Ｗ）中のコンテンツＩＤに対応する配信装置１２０のアドレスを特定した後、その特定したアドレスの配信装置１２０に前記受信した割勘情報（Ｗ）中のコンテンツＩＤ（Ｃ）及び共同購入端末情報（Ｋ）を送信して共同購入されたコンテンツの配信をその配信装置１２０に依頼して処理を終了する。
【００４２】
図６は本実施形態の配信装置１２０の処理手順を示すフローチャートである。図６に示す様に配信装置１２０の配信手段１２１は、課金サーバ１１０から依頼されたコンテンツを共同購入端末１００へ配信する処理を行う。
ステップ６０１で配信装置１２０の配信手段１２１は、課金サーバ１１０よりコンテンツＩＤ（Ｃ）及び共同購入端末情報（Ｋ）を受信するとステップ６０２に進み、前記受信したコンテンツＩＤ（Ｃ）を用いてコンテンツを特定した後、共同購入端末情報（Ｋ）で識別される共同購入端末１００に対して、ネットワークを介してコンテンツ信号（Ｖ）を配信したり、或いは電波を用いてスクランブル処理が施されたコンテンツ信号（Ｖ）を放送している場合には再生許可信号（Ｖｐ）を電波またはネットワークを用いて共同購入端末１００に配信して処理を終了する。
【００４３】
図７は本実施形態の共同購入端末１００と課金サーバ１１０と配信装置１２０の間のシーケンスを示す図である。図７に示す様に共同購入端末１００にて購入コンテンツの選択処理が行われると、コンテンツＩＤ（Ｃ）と共同購入端末情報（Ｋ）を共同購入端末１００から課金サーバ１１０に送信すると、課金サーバ１１０で課金情報（Ｍ）を提示する為の処理を行い、課金情報（Ｍ）を課金サーバ１１０から共同購入端末１００に送信する。
【００４４】
共同購入端末１００では、課金サーバ１１０から送信された課金情報（Ｍ）を受信したユーザに提示し、ユーザからの入力に基づき割勘情報（Ｗ）を作成した後、その作成した割勘情報（Ｗ）を課金サーバ１１０に送信する。課金サーバ１１０は、共同購入端末１００から割勘情報（Ｗ）を受信すると各ユーザ毎に課金処理を行い、課金が終了するとコンテンツＩＤ（Ｃ）と共同購入端末情報（Ｋ）を配信装置１２０に送信してコンテンツの配信を依頼する。
【００４５】
配信装置１２０は課金サーバ１１０から送信されたコンテンツＩＤ（Ｃ）を用いてコンテンツを特定し、コンテンツ信号（Ｖ）または再生許可信号（Ｖｐ）を共同購入端末１００に送信する。共同購入端末１００は、コンテンツ信号（Ｖ）または再生許可信号（Ｖｐ）を受信するとコンテンツの再生処理を行う。
【００４６】
以上説明した様に本実施形態の割勘課金処理システムによれば、共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【００４７】
（実施形態２）
以下に各ユーザの携帯端末から共同購入端末へ支払情報を送信して商品の共同購入を行う実施形態２の割勘課金処理システムについて説明する。
図８は本実施形態の割勘課金処理システムの構成例を示す図である。図８に示す様に本実施形態の割勘課金処理システムは、共同購入端末２００と、携帯端末２３０とを有している。
【００４８】
共同購入端末２００は、共同購入されるコンテンツのコンテンツＩＤ（Ｃ）を課金サーバ１１０に送信して当該コンテンツの課金情報（Ｍ）の提示を要求し、前記コンテンツの共同購入を識別する為の割勘購入ＩＤ（ＷＩＤ）と課金サーバ１１０から送信された課金情報（Ｍ）とを携帯端末２３０に送信して各携帯端末のユーザの支払額（Ｐｍ）を示す支払情報（Ｐｙ）の入力を依頼し、各携帯端末から送信された支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）を示す割勘情報（Ｗ）を作成して課金サーバ１１０に送信し、割勘情報（Ｗ）により課金処理の行われたコンテンツの配信を配信装置１２０から受付ける装置である。
【００４９】
携帯端末２３０は、共同購入端末２００から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して共同購入端末２００に送信する携帯型の処理装置である。
【００５０】
共同購入端末２００は、割勘購入ＩＤ生成手段２０１と、支払情報入力依頼手段２０２と、端末間通信手段２０３と、割勘情報作成・送信手段２０４とを有している。
割勘購入ＩＤ生成手段２０１は、前記コンテンツの共同購入を識別する為の割勘購入ＩＤ（ＷＩＤ）を生成する処理部である。支払情報入力依頼手段２０２は、前記生成した割勘購入ＩＤ（ＷＩＤ）と課金サーバ１１０から送信された課金情報（Ｍ）とを携帯端末２３０に送信して各携帯端末のユーザの支払額（Ｐｍ）を示す支払情報（Ｐｙ）の入力を依頼する処理部である。
端末間通信手段２０３は、共同購入端末２００と携帯端末２３０との間で各データを通信する処理部である。割勘情報作成・送信手段２０４は、各携帯端末から送信された支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）を示す割勘情報（Ｗ）を作成して課金サーバ１１０に送信する処理部である。
【００５１】
共同購入端末２００を割勘購入ＩＤ生成手段２０１、支払情報入力依頼手段２０２、端末間通信手段２０３及び割勘情報作成・送信手段２０４として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００５２】
携帯端末２３０は、支払情報作成手段２３１と、端末間通信手段２３２と、入力手段２３３とを有している。
支払情報作成手段２３１は、共同購入端末２００から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成する処理部である。
端末間通信手段２３２は、共同購入端末２００と携帯端末２３０との間で各データを通信する処理部である。入力手段２３３は、ユーザにより入力されたデータを検出し、必要に応じて各手段に伝達する処理部である。
【００５３】
携帯端末２３０を支払情報作成手段２３１、端末間通信手段２３２及び入力手段２３３として機能させる為のプログラムは、ＲＯＭ等の記録媒体に記録されて実行されるものとする。なお前記プログラムを記録する記録媒体はＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００５４】
本実施形態の割勘課金処理システムは、実施形態１のシステム構成に加え、共同購入端末２００との間で通信可能であり原則として各ユーザが一人一台所有する携帯端末２３０を備えている。
実施形態１との大きな違いは、共同購入端末２００で割勘情報（Ｗ）を作成する際に必要な情報を入力する手段が、各ユーザの携帯端末２３０になる点である。各ユーザ毎に自分の携帯端末２３０を用いて必要な情報を入力し、共同購入端末２００との間で通信して情報を伝達する。なお本実施形態では、割勘購入のユーザが携帯端末２３０を持って共同購入端末２００の前に揃っていることを想定している。
【００５５】
次に、図８に示す各手段について説明する。以下、実施形態１と同様の部分は説明を省略する。
本実施形態の携帯端末２３０は、支払情報作成手段２３１、端末間通信手段２３２、入力手段２３３を備えている。支払情報作成手段２３１は、端末間通信手段２３２を通して共同購入端末２００から割勘購入ＩＤ（ＷＩＤ）と課金情報（Ｍ）を受信すると、ユーザに入力を求める画面を提示し、受信した割勘購入ＩＤ（ＷＩＤ）、ユーザにより入力されたユーザＩＤ（Ｕ）、パスワード（Ｐ）、支払額（Ｐｍ）を用いて支払情報（Ｐｙ）を作成し、共同購入端末２００に送信する。また入力手段２３３は、ユーザにより入力されたデータを検出し、必要に応じて各手段に伝達するものである。
【００５６】
図９は本実施形態の支払情報（Ｐｙ）のデータ例を示す図である。図９に示す様に支払情報（Ｐｙ）は、この支払情報（Ｐｙ）により行おうとする共同購入の割勘購入ＩＤ（ＷＩＤ）と、その支払いを行うユーザのユーザＩＤ（Ｕ）、パスワード（Ｐ）及び支払額（Ｐｍ）とが格納されている。
【００５７】
携帯端末２３０の端末間通信手段２３２は、携帯端末２３０と共同購入端末２００の間で各データを通信する為の手段で、赤外線やＢｌｕｅｔｏｏｔｈ等の無線通信手段やバーコードリーダ等によって実装される。
【００５８】
本実施形態の共同購入端末２００は、実施形態１の場合に加え、割勘購入ＩＤ生成手段２０１、支払情報入力依頼手段２０２、端末間通信手段２０３を備えている。割勘購入ＩＤ生成手段２０１は、課金サーバ１１０から課金情報（Ｍ）を受信した後に手続きが行われようとしている割勘購入を、一意に特定する為に割勘購入ＩＤ（ＷＩＤ）を生成する（例えばカウンターを用いて割勘購入が行われる度に数字を１増やし、その時の数字を割勘購入ＩＤ（ＷＩＤ）として用いても良い）。支払情報入力依頼手段２０２は、割勘購入ＩＤ（ＷＩＤ）と課金情報（Ｍ）を端末間通信手段２０３を用いて携帯端末２３０に送信し、携帯端末２３０のユーザに支払情報（Ｐｙ）の作成に必要な情報の入力を依頼する手段である。端末間通信手段２０３は、携帯端末２３０におけるものと同様である。
以下、本実施形態の割勘課金処理システムの処理手順について図を用いて説明する。
【００５９】
図１０は本実施形態の共同購入端末２００の処理手順を示すフローチャートである。図１０に示す様に共同購入端末２００の割勘購入ＩＤ生成手段２０１は、コンテンツの共同購入を識別する為の割勘購入ＩＤ（ＷＩＤ）を生成する処理を行い、支払情報入力依頼手段２０２は、前記生成した割勘購入ＩＤ（ＷＩＤ）と課金サーバ１１０から送信された課金情報（Ｍ）とを携帯端末２３０に送信して各携帯端末のユーザの支払額（Ｐｍ）を示す支払情報（Ｐｙ）の入力を依頼する処理を行う。そして割勘情報作成・送信手段２０４は、各携帯端末から送信された支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）を示す割勘情報（Ｗ）を作成して課金サーバ１１０に送信する処理を行う。
【００６０】
ステップ１００１からステップ１００４まで実施形態１と同様の処理を行って課金サーバ１１０から課金情報（Ｍ）を取得した後、ステップ１００５で共同購入端末２００の割勘購入ＩＤ生成手段２０１は、選択されたコンテンツの共同購入を識別する為の割勘購入ＩＤ（ＷＩＤ）を生成し、ステップ１００６で支払情報入力依頼手段２０２は、その生成した割勘購入ＩＤ（ＷＩＤ）と課金情報（Ｍ）を端末間通信手段２０３により携帯端末２３０に送信する。
【００６１】
ステップ１００７で割勘情報作成・送信手段２０４は、割勘購入を希望する複数のユーザの携帯端末２３０から支払情報（Ｐｙ）を取得し、同じ割勘購入ＩＤ（ＷＩＤ）を持つ支払情報（Ｐｙ）を用いて割勘情報（Ｗ）を作成する。
ステップ１００８では、前記作成した割勘情報（Ｗ）中の支払額（Ｐｍ）の合計が課金情報（Ｍ）に含まれるコンテンツ代金に等しければステップ１００９でその割勘情報（Ｗ）を課金サーバ１１０に送信し、等しくなければステップ１０１２を経て他のユーザの携帯端末２３０からの支払情報（Ｐｙ）の送信を待つ。
【００６２】
図１１は本実施形態の割勘情報（Ｗ）のデータ例を示す図である。図１１に示す様に割勘情報（Ｗ）には、その共同購入を識別する為の割勘購入ＩＤ（ＷＩＤ）と、共同購入されるコンテンツのコンテンツＩＤ（Ｃ）と、当該コンテンツを受信して再生する共同購入端末２００の共同購入端末情報（Ｋ）と、当該コンテンツを購入する複数のユーザのユーザＩＤ（Ｕ）、パスワード（Ｐ）及び支払額（Ｐｍ）とが格納されている。
ステップ１０１０及びステップ１０１１でコンテンツ信号受信・再生処理手段１０５は、実施形態１と同様にして、コンテンツ信号（Ｖ）または再生許可信号（Ｖｐ）を受信し、コンテンツの再生処理を行う。
【００６３】
図１２は本実施形態の携帯端末２３０の処理手順を示すフローチャートである。図１２に示す様に携帯端末２３０の支払情報作成手段２３１は、共同購入端末２００から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成する処理を行う。
ステップ１２０１で携帯端末２３０の支払情報作成手段２３１は、共同購入端末２００から割勘購入ＩＤ（ＷＩＤ）と課金情報（Ｍ）を受信するとステップ１２０２へ進み、ユーザにより入力されたユーザＩＤ（Ｕ）、パスワード（Ｐ）、支払額（Ｐｍ）を用いて支払情報（Ｐｙ）を作成し、その作成した支払情報（Ｐｙ）を共同購入端末２００に送信して処理を終了する。
なお、本実施形態の課金サーバ１１０と配信装置１２０の処理フローは、それぞれ実施形態１に示したものと同様である。
【００６４】
図１３は本実施形態の携帯端末２３０、共同購入端末２００、課金サーバ１１０、配信装置１２０の間のシーケンスを示す図である。図１３に示す様に本実施形態において、共同購入端末２００でコンテンツ選択処理が行われ、課金サーバ１１０で課金情報提示処理が行われるところまでは実施形態１の場合と同様である。
その後、共同購入端末２００は課金サーバ１１０からコンテンツＩＤ（Ｃ）、課金情報（Ｍ）を受信すると、割勘購入ＩＤ（ＷＩＤ）の生成処理を行い、割勘購入ＩＤ（ＷＩＤ）と課金情報（Ｍ）を携帯端末２３０に送信して支払情報（Ｐｙ）の入力を依頼する。
携帯端末２３０は、ユーザの入力を検出して支払情報（Ｐｙ）を作成し、共同購入端末２００に送信する。共同購入端末２００は、複数の携帯端末２３０から支払情報（Ｐｙ）を受信し、割勘情報（Ｗ）を作成して課金サーバ１１０に送信する。その後のシーケンスは実施形態１の場合と同様である。
【００６５】
以上説明した様に本実施形態の割勘課金処理システムによれば、共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【００６６】
（実施形態３）
以下に共同購入端末から各ユーザの携帯端末へ課金情報を送信した後、各ユーザの携帯端末から課金サーバへ支払情報を送信して商品の共同購入を行う実施形態３の割勘課金処理システムについて説明する。
図１４は本実施形態の割勘課金処理システムの構成例を示す図である。図１４に示す様に本実施形態の割勘課金処理システムは、共同購入端末３００と、課金サーバ３１０と、携帯端末３３０とを有している。
【００６７】
共同購入端末３００は、共同購入されるコンテンツのコンテンツＩＤ（Ｃ）を課金サーバ３１０に送信して当該コンテンツの課金情報（Ｍ）の提示を要求し、前記コンテンツの共同購入を識別する為の割勘購入ＩＤ（ＷＩＤ）と課金サーバ３１０から送信された課金情報（Ｍ）とを携帯端末３３０に送信して各携帯端末のユーザの支払額（Ｐｍ）を示す支払情報（Ｐｙ）の入力及び課金サーバ３１０への送信を依頼し、支払額（Ｐｍ）の合計により課金処理の行われたコンテンツの配信を配信装置１２０から受付ける装置である。
【００６８】
課金サーバ３１０は、課金情報（Ｍ）を共同購入端末３００に送信し、各携帯端末から送信された支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行った後、その課金処理の行われたコンテンツの配信を配信装置１２０に依頼する処理装置である。
【００６９】
携帯端末３３０は、共同購入端末３００から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ３１０に送信する携帯型の処理装置である。
【００７０】
共同購入端末３００は支払情報入力・送信依頼手段３０１を有している。支払情報入力・送信依頼手段３０１は、前記コンテンツの共同購入を識別する為の割勘購入ＩＤ（ＷＩＤ）と課金サーバ３１０から送信された課金情報（Ｍ）とを携帯端末３３０に送信して各携帯端末のユーザの支払額（Ｐｍ）を示す支払情報（Ｐｙ）の入力及び課金サーバ３１０への送信を依頼する処理部である。
【００７１】
共同購入端末３００を支払情報入力・送信依頼手段３０１として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００７２】
課金サーバ３１０は課金処理手段３１１を有している。課金処理手段３１１は、課金情報（Ｍ）のコンテンツ代金に対するユーザの支払額（Ｐｍ）を示す支払情報（Ｐｙ）を各ユーザの携帯端末３３０から受信し、その支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行った後、その課金処理の行われたコンテンツの配信を配信装置１２０に依頼する処理部である。
【００７３】
課金サーバ３１０を課金処理手段３１１として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００７４】
携帯端末３３０は支払情報作成・送信手段３３１を有している。支払情報作成・送信手段３３１は、共同購入端末３００から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ３１０に送信する処理部である。
【００７５】
携帯端末３３０を支払情報作成・送信手段３３１として機能させる為のプログラムは、ＲＯＭ等の記録媒体に記録されて実行されるものとする。なお前記プログラムを記録する記録媒体はＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００７６】
本実施形態の構成は、実施形態２のシステム構成とほぼ同様である。図１４に示す各手段の内、実施形態２と異なる手段について説明する。
本実施形態の携帯端末３３０は、支払情報作成・送信手段３３１を備えている。支払情報作成・送信手段３３１は、支払情報作成手段２３１とほぼ同様であるが送信手段も備えており、支払情報（Ｐｙ）の送信は端末間通信手段２３２を用いず、無線等のネットワークを介して課金サーバ３１０に直接送信される。
【００７７】
また共同購入端末３００は、実施形態２の場合に加え、支払情報入力・送信依頼手段３０１を備えている。支払情報入力・送信依頼手段３０１は、割勘購入ＩＤ（ＷＩＤ）と課金サーバ３１０から送信された課金情報（Ｍ）とを携帯端末３３０に送信し、各携帯端末のユーザの支払額（Ｐｍ）を示す支払情報（Ｐｙ）の入力及び課金サーバ３１０への送信を携帯端末３３０に依頼する。共同購入端末３００は、実施形態２と異なり、必ずしも割勘情報作成・送信手段１０４を備えていなくても良い。
以下、本実施形態の割勘課金処理システムの処理手順について図を用いて説明する。
【００７８】
図１５は本実施形態の共同購入端末３００の処理手順を示すフローチャートである。図１５に示す様に共同購入端末３００の支払情報入力・送信依頼手段３０１は、コンテンツの共同購入を識別する為の割勘購入ＩＤ（ＷＩＤ）と課金サーバ３１０から送信された課金情報（Ｍ）とを携帯端末３３０に送信して各携帯端末のユーザの支払額（Ｐｍ）を示す支払情報（Ｐｙ）の入力及び課金サーバ３１０への送信を依頼する処理を行う。
【００７９】
ステップ１５０１からステップ１５０５まで実施形態２と同様の処理を行って割勘購入ＩＤ（ＷＩＤ）を生成した後、ステップ１５０６で共同購入端末３００の支払情報入力・送信依頼手段３０１は、割勘購入ＩＤ（ＷＩＤ）と課金サーバ３１０から送信された課金情報（Ｍ）とを携帯端末３３０に送信し、各携帯端末のユーザの支払額（Ｐｍ）を示す支払情報（Ｐｙ）の入力及び課金サーバ３１０への送信を携帯端末３３０に依頼する。
ステップ１５０７及びステップ１５０８でコンテンツ信号受信・再生処理手段１０５は、実施形態１と同様にして、コンテンツ信号（Ｖ）または再生許可信号（Ｖｐ）を受信し、コンテンツの再生処理を行う。
【００８０】
図１６は本実施形態の課金サーバ３１０の処理手順を示すフローチャートである。図１６に示す様に課金サーバ３１０の課金処理手段３１１は、課金情報（Ｍ）のコンテンツ代金に対するユーザの支払額（Ｐｍ）を示す支払情報（Ｐｙ）を各ユーザの携帯端末３３０から受信し、その支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行った後、その課金処理の行われたコンテンツの配信を配信装置１２０に依頼する処理を行う。
【００８１】
ステップ１６０１及びステップ１６０２で課金サーバ３１０の課金情報提示手段１１１は、実施形態１と同様の処理を行って課金情報（Ｍ）を共同購入端末３００に送信する。
ステップ１６０３で課金処理手段３１１は、前記送信した課金情報（Ｍ）のコンテンツ代金に対するユーザの支払額（Ｐｍ）を示す支払情報（Ｐｙ）を携帯端末３３０から受信し、課金サーバ３１０のメモリに保存する。
【００８２】
ステップ１６０４では、前記受信しメモリに保存した支払情報（Ｐｙ）中の割勘購入ＩＤ（ＷＩＤ）を参照し、受信済みの支払情報（Ｐｙ）の中から、同じ割勘購入ＩＤ（ＷＩＤ）を持つものを選択する。
ステップ１６０５では、前記選択した支払情報（Ｐｙ）中の支払額（Ｐｍ）の合計が、その支払情報（Ｐｙ）中のコンテンツＩＤ（Ｃ）で特定されるコンテンツの代金に等しいかどうかを調べ、支払額（Ｐｍ）の合計が前記コンテンツ代金に等しくない場合は、ステップ１６０３へ戻って他の支払情報（Ｐｙ）が携帯端末３３０から送信されてくるのを待つ。
【００８３】
また、支払額（Ｐｍ）の合計が前記コンテンツ代金に等しい場合はステップ１６０６へ進み、前記選択した支払情報（Ｐｙ）に基づき、ユーザＩＤ（Ｕ）とパスワード（Ｐ）が予め課金サーバ３１０に登録されているものと一致するかどうかを調べた後、各ユーザ毎に設定された支払額（Ｐｍ）の課金処理を行う。
ステップ１６０７では、課金テーブル（図３）を参照し、前記選択した支払情報（Ｐｙ）中のコンテンツＩＤに対応する配信装置１２０のアドレスを特定した後、その特定したアドレスの配信装置１２０に前記受信した支払情報（Ｐｙ）中のコンテンツＩＤ（Ｃ）及び共同購入端末情報（Ｋ）を送信して共同購入されたコンテンツの配信をその配信装置１２０に依頼して処理を終了する。
【００８４】
図１７は本実施形態の携帯端末３３０の処理手順を示すフローチャートである。図１７に示す様に携帯端末３３０の支払情報作成・送信手段３３１は、共同購入端末３００から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ３１０に送信する処理を行う。
ステップ１７０１で携帯端末３３０の支払情報作成・送信手段３３１は、共同購入端末３００から割勘購入ＩＤ（ＷＩＤ）と課金情報（Ｍ）を受信するとステップ１７０２へ進み、ユーザにより入力されたユーザＩＤ（Ｕ）、パスワード（Ｐ）、支払額（Ｐｍ）を用いて支払情報（Ｐｙ）を作成し、その作成した支払情報（Ｐｙ）を課金サーバ３１０に送信して処理を終了する。
【００８５】
図１８は本実施形態の支払情報（Ｐｙ）のデータ例を示す図である。図１８に示す様に支払情報（Ｐｙ）には、その共同購入を識別する為の割勘購入ＩＤ（ＷＩＤ）と、共同購入されるコンテンツのコンテンツＩＤ（Ｃ）と、当該コンテンツを受信して再生する共同購入端末３００の共同購入端末情報（Ｋ）と、当該コンテンツを購入するユーザのユーザＩＤ（Ｕ）、パスワード（Ｐ）及びそのユーザの負担額を示す支払額（Ｐｍ）とが格納されている。
【００８６】
図１９は本実施形態の携帯端末３３０、共同購入端末３００、課金サーバ３１０、配信装置１２０の間のシーケンスを示す図である。図１９に示す様に本実施形態において、共同購入端末３００でコンテンツ選択処理が行われ、割勘購入ＩＤ（ＷＩＤ）の生成が行われるところまでは実施形態１の場合と同様である。
その後、共同購入端末３００は、割勘購入ＩＤ（ＷＩＤ）と課金情報（Ｍ）を携帯端末３３０に送信して支払情報（Ｐｙ）の入力及び課金サーバ３１０への送信を携帯端末３３０に依頼する。
携帯端末３３０は、ユーザの入力を検出して支払情報（Ｐｙ）を作成し、その作成した支払情報（Ｐｙ）を課金サーバ３１０へ送信する。課金サーバ３１０は、複数の携帯端末３３０から支払情報（Ｐｙ）を受信し、同じ割勘購入ＩＤ（ＷＩＤ）を持つ支払情報（Ｐｙ）により課金処理を行う。その後のシーケンスは実施形態１の場合と同様である。
【００８７】
以上説明した様に本実施形態の割勘課金処理システムによれば、共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【００８８】
（実施形態４）
以下に共同購入端末からの要求により課金サーバから各ユーザの携帯端末へ課金情報を送信した後、各ユーザの携帯端末から課金サーバへ支払情報を送信して商品の共同購入を行う実施形態４の割勘課金処理システムについて説明する。
図２０は本実施形態の割勘課金処理システムの構成例を示す図である。図２０に示す様に本実施形態の割勘課金処理システムは、共同購入端末４００と、課金サーバ４１０と、携帯端末４３０とを有している。
【００８９】
共同購入端末４００は、共同購入されるコンテンツのコンテンツＩＤ（Ｃ）と、前記コンテンツを共同購入するユーザの携帯端末４３０を識別する為の携帯端末情報（Ｍｂ）と、前記コンテンツの共同購入を識別する為の割勘購入ＩＤ（ＷＩＤ）とを課金サーバ４１０に送信して当該コンテンツの課金情報（Ｍ）の携帯端末４３０への提示を要求し、各ユーザの支払額（Ｐｍ）の合計により課金処理の行われたコンテンツの配信を配信装置１２０から受付ける装置である。
【００９０】
課金サーバ４１０は、割勘購入ＩＤ（ＷＩＤ）と課金情報（Ｍ）を携帯端末情報（Ｍｂ）で識別される携帯端末４３０に送信し、各携帯端末から送信された支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行った後、その課金処理の行われたコンテンツの配信を配信装置１２０に依頼する処理装置である。
【００９１】
携帯端末４３０は、課金サーバ４１０から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ４１０に送信する携帯型の処理装置である。
【００９２】
共同購入端末４００は、コンテンツ選択手段４０１と、課金情報要求手段４０２とを有している。
コンテンツ選択手段４０１は、共同購入される商品であるコンテンツのコンテンツＩＤ（Ｃ）の選択を受け付ける処理部である。課金情報要求手段４０２は、前記受付けたコンテンツＩＤ（Ｃ）と、前記コンテンツを共同購入するユーザの携帯端末４３０を識別する為の携帯端末情報（Ｍｂ）と、前記コンテンツの共同購入を識別する為の割勘購入ＩＤ（ＷＩＤ）とを課金サーバ４１０に送信して当該コンテンツの課金情報（Ｍ）の携帯端末４３０への提示を要求する処理部である。
【００９３】
共同購入端末４００をコンテンツ選択手段４０１及び課金情報要求手段４０２として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００９４】
課金サーバ４１０は課金情報提示手段４１１を有している。課金情報提示手段４１１は、共同購入されるコンテンツのコンテンツＩＤ（Ｃ）と、前記コンテンツを共同購入するユーザの携帯端末４３０を識別する為の携帯端末情報（Ｍｂ）と、前記コンテンツの共同購入を識別する為の割勘購入ＩＤ（ＷＩＤ）とを共同購入端末４００から受信し、割勘購入ＩＤ（ＷＩＤ）と課金情報（Ｍ）を携帯端末情報（Ｍｂ）で識別される携帯端末４３０に送信する処理部である。
【００９５】
課金サーバ４１０を課金情報提示手段４１１として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００９６】
携帯端末４３０は、支払情報作成・送信手段４３１と、携帯端末情報保持手段４３２とを有している。
支払情報作成・送信手段４３１は、課金サーバ４１０から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ４１０に送信する処理部である。携帯端末情報保持手段４３２は、携帯端末４３０を識別する為の情報である携帯端末情報（Ｍｂ）を保持する処理部である。
【００９７】
携帯端末４３０を支払情報作成・送信手段４３１及び携帯端末情報保持手段４３２として機能させる為のプログラムは、ＲＯＭ等の記録媒体に記録されて実行されるものとする。なお前記プログラムを記録する記録媒体はＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【００９８】
本実施形態の構成は、実施形態３のシステム構成とほぼ同様である。図２０に示す手段の内、実施形態３と異なる部分のみ説明する。
本実施形態の携帯端末４３０は、支払情報作成・送信手段４３１、携帯端末情報保持手段４３２を備えている。支払情報作成・送信手段４３１は、支払情報作成・送信手段３３１とほぼ同様であるが、課金サーバ４１０から送信された課金情報（Ｍ）を受信してユーザに提示する点が異なっている。携帯端末情報保持手段４３２は、各端末毎に予め固有に割り振られてメモリ等の記憶装置で記憶しているか或いは使用する度にユーザにより入力された携帯端末情報（Ｍｂ）を保持しており、ユーザの入力により端末間通信手段２３２を用いて携帯端末情報（Ｍｂ）を共同購入端末４００に送信するものである。携帯端末情報（Ｍｂ）は、課金サーバ４１０が課金情報（Ｍ）を送信する際に、各端末を一意に識別する為に用いられる。
【００９９】
また共同購入端末４００は、コンテンツ選択手段４０１と課金情報要求手段４０２を備えている。コンテンツ選択手段４０１は、ユーザの入力により購入コンテンツが選択されたら、まずコンテンツＩＤ（Ｃ）を保持し、割勘購入ＩＤ（ＷＩＤ）が生成された後で、課金情報要求手段４０２にコンテンツＩＤ（Ｃ）を伝達する。割勘購入ＩＤ生成手段２０１は、端末間通信手段２０３を通して携帯端末４３０から携帯端末情報（Ｍｂ）を受信すると割勘購入ＩＤ（ＷＩＤ）を生成し、携帯端末情報（Ｍｂ）と割勘購入ＩＤ（ＷＩＤ）を課金情報要求手段４０２に伝達する。課金情報要求手段４０２は、携帯端末情報（Ｍｂ）と割勘購入ＩＤ（ＷＩＤ）とコンテンツＩＤ（Ｃ）が伝達されると、これらの情報と共同購入端末情報（Ｋ）を課金サーバ４１０に送信し、携帯端末４３０に課金情報（Ｍ）を提示する様に要求する。なお配信装置１２０の構成は実施形態１と同様である。以下、本実施形態の割勘課金処理システムの処理手順について図を用いて説明する。
【０１００】
図２１は本実施形態の共同購入端末４００の処理手順を示すフローチャートである。図２１に示す様に共同購入端末４００のコンテンツ選択手段４０１は、共同購入される商品であるコンテンツのコンテンツＩＤ（Ｃ）の選択を受け付ける処理を行い、課金情報要求手段４０２は、前記受付けたコンテンツＩＤ（Ｃ）と、前記コンテンツを共同購入するユーザの携帯端末４３０を識別する為の携帯端末情報（Ｍｂ）と、前記コンテンツの共同購入を識別する為の割勘購入ＩＤ（ＷＩＤ）とを課金サーバ４１０に送信して当該コンテンツの課金情報（Ｍ）の携帯端末４３０への提示を要求する処理を行う。
【０１０１】
ステップ２１０１で共同購入端末４００のコンテンツ選択手段４０１は、ユーザの入力により購入コンテンツが選択されると、その選択を受け付けてステップ２１０２へ進み、その選択されたコンテンツに該当するコンテンツＩＤ（Ｃ）をひとまずメモリへ保持する。
次にステップ２１０３で割勘購入ＩＤ生成手段２０１は、ある携帯端末４３０より携帯端末情報（Ｍｂ）を受信すると、前記選択されたコンテンツの共同購入を識別する為の割勘購入ＩＤ（ＷＩＤ）を生成する。
【０１０２】
ステップ２１０４で課金情報要求手段４０２は、前記生成した割勘購入ＩＤ（ＷＩＤ）と、前記受信した携帯端末情報（Ｍｂ）と、前記メモリに保持したコンテンツＩＤ（Ｃ）と、共同購入端末４００の共同購入端末情報（Ｋ）とをネットワークを介して課金サーバ４１０に送信し、携帯端末４３０に課金情報（Ｍ）を送信する様に課金サーバ４１０に依頼する。
またステップ２１０５及びステップ２１０６でコンテンツ信号受信・再生処理手段１０５は、実施形態１と同様にして、コンテンツ信号（Ｖ）または再生許可信号（Ｖｐ）を受信し、コンテンツの再生処理を行う。
【０１０３】
図２２は本実施形態の課金サーバ４１０の処理手順を示すフローチャートである。図２２に示す様に課金サーバ４１０の課金情報提示手段４１１は、共同購入されるコンテンツのコンテンツＩＤ（Ｃ）と、前記コンテンツを共同購入するユーザの携帯端末４３０を識別する為の携帯端末情報（Ｍｂ）と、前記コンテンツの共同購入を識別する為の割勘購入ＩＤ（ＷＩＤ）とを共同購入端末４００から受信し、割勘購入ＩＤ（ＷＩＤ）と課金情報（Ｍ）を携帯端末情報（Ｍｂ）で識別される携帯端末４３０に送信する処理を行う。
【０１０４】
ステップ２２０１で課金サーバ４１０の課金情報提示手段４１１は、共同購入端末４００より割勘購入ＩＤ（ＷＩＤ）、コンテンツＩＤ（Ｃ）、共同購入端末情報（Ｋ）、携帯端末情報（Ｍｂ）を受信するとステップ２２０２へ進み、前記受信した携帯端末情報（Ｍｂ）を用いて課金情報提示先の携帯端末４３０を特定し、コンテンツＩＤ（Ｃ）を用いて該当するコンテンツの課金情報（Ｍ）であるコンテンツ代金を課金テーブルから読み出した後、その割勘購入ＩＤ（ＷＩＤ）と共同購入端末情報（Ｋ）と課金情報（Ｍ）を前記特定した携帯端末４３０に送信する。ステップ２２０３からステップ２２０７では、実施形態３と同様の処理を行う。
【０１０５】
図２３は本実施形態の携帯端末４３０の処理手順を示すフローチャートである。図２３に示す様に携帯端末４３０の支払情報作成・送信手段４３１は、課金サーバ４１０から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ４１０に送信する処理を行う。
共同購入端末４００で購入コンテンツの選択処理が行われた後、ステップ２３０１で携帯端末４３０は、ユーザの入力により端末間通信手段２３２を用いて共同購入端末４００に携帯端末情報（Ｍｂ）を送信する。
ステップ２３０２で携帯端末４３０の支払情報作成・送信手段４３１は、課金サーバ４１０より割勘購入ＩＤ（ＷＩＤ）、コンテンツＩＤ（Ｃ）、共同購入端末情報（Ｋ）、課金情報（Ｍ）を受信するとステップ２３０３へ進み、ユーザの入力によりユーザＩＤ（Ｕ）、パスワード（Ｐ）、支払額（Ｐｍ）を取得して支払情報（Ｐｙ）を作成し、課金サーバ４１０に送信する。
【０１０６】
図２４は本実施形態の携帯端末４３０、共同購入端末４００、課金サーバ４１０、配信装置１２０の間のシーケンスを示す図である。共同購入端末４００で購入コンテンツの選択処理が行われると、携帯端末４３０はユーザの入力により共同購入端末４００に携帯端末情報（Ｍｂ）を送信する。
共同購入端末４００が携帯端末情報（Ｍｂ）を受信すると、割勘購入ＩＤ（ＷＩＤ）の生成処理を行い、割勘購入ＩＤ（ＷＩＤ）、コンテンツＩＤ（Ｃ）、共同購入端末情報（Ｋ）、携帯端末情報（Ｍｂ）をネットワーク経由で課金サーバ４１０に送信する。課金サーバ４１０は、これらの情報を受信すると課金情報提示処理を行う。以降は実施形態３と同様である。
【０１０７】
以上説明した様に本実施形態の割勘課金処理システムによれば、共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【０１０８】
（実施形態５）
以下に携帯端末からの要求により課金サーバから各ユーザの携帯端末へ課金情報を送信した後、各ユーザの携帯端末から課金サーバへ支払情報を送信して商品の共同購入を行う実施形態５の割勘課金処理システムについて説明する。
図２５は本実施形態の割勘課金処理システムの構成例を示す図である。図２５に示す様に本実施形態の割勘課金処理システムは、共同購入端末５００と、課金サーバ５１０と、携帯端末５３０とを有している。
【０１０９】
共同購入端末５００は、共同購入されるコンテンツのコンテンツＩＤ（Ｃ）と、前記コンテンツの共同購入を識別する為の割勘購入ＩＤ（ＷＩＤ）と、前記コンテンツの共同購入の行われる共同購入端末５００を識別する為の共同購入端末情報（Ｋ）とを携帯端末５３０に送信し、各携帯端末からの支払情報（Ｐｙ）中の支払額（Ｐｍ）の合計により課金処理の行われたコンテンツの配信を配信装置１２０から受付ける装置である。
【０１１０】
課金サーバ５１０は、課金情報（Ｍ）を携帯端末５３０に送信し、各携帯端末から送信された支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行った後、その課金処理の行われたコンテンツの共同購入端末情報（Ｋ）で識別される共同購入端末５００への配信を配信装置１２０に依頼する処理装置である。
【０１１１】
携帯端末５３０は、コンテンツＩＤ（Ｃ）を課金サーバ５１０に送信して当該コンテンツの課金情報（Ｍ）の提示を要求し、課金サーバ５１０から送信された課金情報（Ｍ）をユーザに示して支払額（Ｐｍ）の入力を受付け、割勘購入ＩＤ（ＷＩＤ）及び共同購入端末情報（Ｋ）と前記受付けた支払額（Ｐｍ）を示す支払情報（Ｐｙ）を作成して課金サーバ５１０に送信する携帯型の処理装置である。
【０１１２】
課金サーバ５１０は、課金情報提示手段５１１と、課金処理手段５１２とを有している。
課金情報提示手段５１１は、共同購入されるコンテンツのコンテンツＩＤ（Ｃ）を携帯端末５３０から受信し、そのコンテンツＩＤ（Ｃ）で識別されるコンテンツの課金情報（Ｍ）を携帯端末５３０に送信する処理部である。
課金処理手段５１２は、前記コンテンツの共同購入の行われる共同購入端末５００を識別する為の共同購入端末情報（Ｋ）と課金情報（Ｍ）のコンテンツ代金に対するユーザの支払額（Ｐｍ）を示す支払情報（Ｐｙ）を各ユーザの携帯端末５３０から受信し、その支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行った後、その課金処理の行われたコンテンツの共同購入端末情報（Ｋ）で識別される共同購入端末への配信を配信装置１２０に依頼する処理部である。
【０１１３】
課金サーバ５１０を課金情報提示手段５１１及び課金処理手段５１２として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【０１１４】
携帯端末５３０は、課金情報要求手段５３１と、支払情報作成・送信手段５３２とを有している。
課金情報要求手段５３１は、コンテンツＩＤ（Ｃ）を課金サーバ５１０に送信して当該コンテンツの課金情報（Ｍ）の提示を要求する処理部である。支払情報作成・送信手段５３２は、課金サーバ５１０から送信された課金情報（Ｍ）をユーザに示して支払額（Ｐｍ）の入力を受付け、共同購入端末５００から送信された割勘購入ＩＤ（ＷＩＤ）及び共同購入端末情報（Ｋ）と前記受付けた支払額（Ｐｍ）を示す支払情報（Ｐｙ）を作成して課金サーバ５１０に送信する処理部である。
【０１１５】
携帯端末５３０を課金情報要求手段５３１及び支払情報作成・送信手段５３２として機能させる為のプログラムは、ＲＯＭ等の記録媒体に記録されて実行されるものとする。なお前記プログラムを記録する記録媒体はＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【０１１６】
本実施形態の構成は、実施形態４のシステム構成とほぼ同様である。図２５に示す各手段の内、実施形態４と異なる手段について説明する。
本実施形態の携帯端末５３０は、課金情報要求手段５３１、支払情報作成・送信手段５３２を備えている。課金情報要求手段５３１は、共同購入端末５００から端末間通信手段２３２を通して割勘購入ＩＤ（ＷＩＤ）、コンテンツＩＤ（Ｃ）、共同購入端末情報（Ｋ）を受信し、ユーザの入力によりコンテンツＩＤ（Ｃ）と携帯端末情報（Ｍｂ）を課金サーバ５１０に送信してコンテンツの課金情報（Ｍ）を要求する。支払情報作成・送信手段５３２は、携帯端末５３０自身の要求によって課金サーバ５１０から送信された課金情報（Ｍ）を受信してユーザに提示し、支払情報（Ｐｙ）を作成して課金サーバ５１０に送信する。
以下、本実施形態の割勘課金処理システムの処理手順について図を用いて説明する。
【０１１７】
図２６は本実施形態の共同購入端末５００の処理手順を示すフローチャートである。ステップ２６０１で共同購入端末５００のコンテンツ選択手段４０１は、ユーザの入力により購入コンテンツが選択されると、その選択を受け付けてステップ２６０２へ進み、その選択されたコンテンツに該当するコンテンツＩＤ（Ｃ）をひとまずメモリへ保持する。
次にステップ２６０３で割勘購入ＩＤ生成手段２０１は、前記選択されたコンテンツの共同購入を識別する為の割勘購入ＩＤ（ＷＩＤ）を生成し、前記メモリに保持したコンテンツＩＤ（Ｃ）と、共同購入端末５００の共同購入端末情報（Ｋ）とを携帯端末５３０に送信する。
またステップ２６０４及びステップ２６０５でコンテンツ信号受信・再生処理手段１０５は、実施形態１と同様にして、コンテンツ信号（Ｖ）または再生許可信号（Ｖｐ）を受信し、コンテンツの再生処理を行う。
【０１１８】
図２７は本実施形態の課金サーバ５１０の処理手順を示すフローチャートである。図２７に示す様に課金サーバ５１０の課金情報提示手段５１１は、共同購入されるコンテンツのコンテンツＩＤ（Ｃ）を携帯端末５３０から受信し、そのコンテンツＩＤ（Ｃ）で識別されるコンテンツの課金情報（Ｍ）を携帯端末５３０に送信する処理を行う。
すなわちステップ２７０１で課金サーバ５１０の課金情報提示手段５１１は、携帯端末５３０よりコンテンツＩＤ（Ｃ）と携帯端末情報（Ｍｂ）を受信し、課金情報（Ｍ）の提示を要求されるとステップ２７０２の処理へ進み、携帯端末情報（Ｍｂ）を使って携帯端末５３０を特定し、課金情報（Ｍ）を送信する。その後の処理は実施形態４の場合と同様である。
【０１１９】
図２８は本実施形態の携帯端末５３０の処理手順を示すフローチャートである。図２８に示す様に携帯端末５３０の課金情報要求手段５３１は、コンテンツＩＤ（Ｃ）を課金サーバ５１０に送信して当該コンテンツの課金情報（Ｍ）の提示を要求する処理を行い、支払情報作成・送信手段５３２は、課金サーバ５１０から送信された課金情報（Ｍ）をユーザに示して支払額（Ｐｍ）の入力を受付け、共同購入端末５００から送信された割勘購入ＩＤ（ＷＩＤ）及び共同購入端末情報（Ｋ）と前記受付けた支払額（Ｐｍ）を示す支払情報（Ｐｙ）を作成して課金サーバ５１０に送信する処理を行う。
【０１２０】
ステップ２８０１で携帯端末５３０の課金情報要求手段５３１は、共同購入端末５００より割勘購入ＩＤ（ＷＩＤ）、コンテンツＩＤ（Ｃ）、共同購入端末情報（Ｋ）を受信するとステップ２８０２へ進み、携帯端末情報（Ｍｂ）とコンテンツＩＤ（Ｃ）を課金サーバ５１０ヘ送信して課金情報（Ｍ）の提示を携帯端末５３０から課金サーバ５１０に要求する。
ステップ２８０３で支払情報作成・送信手段５３２は、課金サーバ５１０より課金情報（Ｍ）を受信したらステップ２８０４へ進み、ユーザの入力によりユーザＩＤ（Ｕ）、パスワード（Ｐ）、支払額（Ｐｍ）を取得し、支払情報（Ｐｙ）を作成して課金サーバ５１０に送信する。
【０１２１】
図２９は本実施形態の携帯端末５３０、共同購入端末５００、課金サーバ５１０、配信装置１２０の間のシーケンスを示す図である。図２９に示す様に共同購入端末５００で購入コンテンツの選択処理と割勘購入ＩＤ（ＷＩＤ）の生成処理が行われると、割勘購入ＩＤ（ＷＩＤ）、コンテンツＩＤ（Ｃ）、共同購入端末情報（Ｋ）が端末間通信手段を通して携帯端末５３０に送信される。
携帯端末５３０は、これらの情報を受信するとネットワークを介して課金サーバ５１０にコンテンツＩＤ（Ｃ）と携帯端末情報（Ｍｂ）を送信して、課金情報（Ｍ）の提示を課金サーバ５１０に要求する。課金サーバ５１０は、携帯端末５３０から課金情報（Ｍ）の提示を要求されると、携帯端末情報（Ｍｂ）を用いて携帯端末５３０を特定し、課金情報（Ｍ）を携帯端末５３０に送信する。以降は実施形態４と同様である。
【０１２２】
以上説明した様に本実施形態の割勘課金処理システムによれば、共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【０１２３】
（実施形態６）
以下に任意端末から各ユーザの携帯端末へ課金情報を送信した後、各ユーザの携帯端末から課金サーバへ支払情報を送信して商品の共同購入を行う実施形態６の割勘課金処理システムについて説明する。
図３０は本実施形態の割勘課金処理システムの構成例を示す図である。図３０に示す様に本実施形態の割勘課金処理システムは、共同購入端末６００と、課金サーバ６１０と、携帯端末６３０と、任意端末６４０とを有している。
【０１２４】
共同購入端末６００は、携帯端末６３０から送信された割勘購入ＩＤ（ＷＩＤ）を示す共同購入要求を共同購入端末６００から課金サーバ６１０に送信して、割勘購入ＩＤ（ＷＩＤ）で識別される共同購入により課金処理の行われたコンテンツの配信を要求し、配信装置１２０から配信されたコンテンツを受付ける装置である。
【０１２５】
課金サーバ６１０は、課金情報（Ｍ）を任意端末６４０に送信し、各携帯端末から送信された支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行った後、課金処理が正常に終了した共同購入の割勘購入ＩＤ（ＷＩＤ）を課金結果として携帯端末６３０に通知し、共同購入端末６００から送信された割勘購入ＩＤ（ＷＩＤ）で識別される共同購入の課金処理が正常に終了しているかどうかを確認し、その課金処理が正常に終了しているコンテンツの配信を配信装置１２０に依頼する処理装置である。
【０１２６】
携帯端末６３０は、任意端末６４０から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ６１０に送信し、課金処理が正常に終了したコンテンツの割勘購入ＩＤ（ＷＩＤ）を指定して当該コンテンツの配信要求を共同購入端末６００に送信する携帯型の処理装置である。
【０１２７】
任意端末６４０は、共同購入されるコンテンツのコンテンツＩＤ（Ｃ）を課金サーバ６１０に送信して当該コンテンツの課金情報（Ｍ）の提示を要求し、前記コンテンツの共同購入を識別する為の割勘購入ＩＤ（ＷＩＤ）と課金サーバ６１０から送信された課金情報（Ｍ）とを携帯端末６３０に送信する任意の処理装置である。
【０１２８】
共同購入端末６００は共同購入要求手段６０１を有している。共同購入要求手段６０１は、課金処理が正常に終了した共同購入の割勘購入ＩＤ（ＷＩＤ）を携帯端末６３０から受信し、その割勘購入ＩＤ（ＷＩＤ）を示す共同購入要求を課金サーバ６１０に送信して、割勘購入ＩＤ（ＷＩＤ）で識別される共同購入により課金処理の行われたコンテンツの配信を要求する処理部である。
【０１２９】
共同購入端末６００を共同購入要求手段６０１として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【０１３０】
課金サーバ６１０は、課金処理手段６１１と、課金結果通知手段６１２と、配信許可確認手段６１３とを有している。
課金処理手段６１１は、課金情報（Ｍ）のコンテンツ代金に対するユーザの支払額（Ｐｍ）を示す支払情報（Ｐｙ）を各ユーザの携帯端末６３０から受信し、その支払情報（Ｐｙ）の内で同じ割勘購入ＩＤ（ＷＩＤ）を持つ支払額（Ｐｍ）の合計が課金情報（Ｍ）のコンテンツ代金に達している場合に各ユーザの支払額（Ｐｍ）の課金処理を行う処理部である。
課金結果通知手段６１２は、課金処理が正常に終了した共同購入の割勘購入ＩＤ（ＷＩＤ）を課金結果として携帯端末６３０に通知する処理部である。配信許可確認手段６１３は、共同購入端末６００から送信された割勘購入ＩＤ（ＷＩＤ）で識別される共同購入の課金処理が正常に終了しているかどうかを確認し、その課金処理が正常に終了しているコンテンツの配信を配信装置１２０に依頼する処理部である。
【０１３１】
課金サーバ６１０を課金処理手段６１１、課金結果通知手段６１２及び配信許可確認手段６１３として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【０１３２】
携帯端末６３０は、支払情報作成・送信手段６３１と、課金結果保持手段６３２と、視聴要求送信手段６３３とを有している。
支払情報作成・送信手段６３１は、任意端末６４０から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ６１０に送信する処理部である。
課金結果保持手段６３２は、課金処理が正常に終了したコンテンツの割勘購入ＩＤ（ＷＩＤ）を保持する処理部である。視聴要求送信手段６３３は、前記保持した割勘購入ＩＤ（ＷＩＤ）を指定して当該コンテンツの配信要求を共同購入端末６００に送信する処理部である。
【０１３３】
携帯端末６３０を支払情報作成・送信手段６３１、課金結果保持手段６３２及び視聴要求送信手段６３３として機能させる為のプログラムは、ＲＯＭ等の記録媒体に記録されて実行されるものとする。なお前記プログラムを記録する記録媒体はＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【０１３４】
任意端末６４０は、コンテンツ選択手段６４１と、割勘購入ＩＤ生成手段６４２と、課金情報提示手段６４３と、端末間通信手段６４４とを有している。
コンテンツ選択手段６４１は、共同購入される商品であるコンテンツのコンテンツＩＤ（Ｃ）の選択を受け付ける処理部である。割勘購入ＩＤ生成手段６４２は、前記コンテンツの共同購入を識別する為の割勘購入ＩＤ（ＷＩＤ）を生成する処理部である。
課金情報提示手段６４３は、前記生成した割勘購入ＩＤ（ＷＩＤ）と前記コンテンツの課金情報（Ｍ）とを携帯端末６３０に送信する処理部である。端末間通信手段６４４は、任意端末６４０と携帯端末６３０との間で各データを通信する処理部である。
【０１３５】
任意端末６４０をコンテンツ選択手段６４１、割勘購入ＩＤ生成手段６４２、課金情報提示手段６４３及び端末間通信手段６４４として機能させる為のプログラムは、ＣＤ−ＲＯＭ等の記録媒体に記録され磁気ディスク等に格納された後、メモリにロードされて実行されるものとする。なお前記プログラムを記録する記録媒体はＣＤ−ＲＯＭ以外の他の記録媒体でも良い。また前記プログラムを当該記録媒体から情報処理装置にインストールして使用しても良いし、ネットワークを通じて当該記録媒体にアクセスして前記プログラムを使用するものとしても良い。
【０１３６】
本実施形態の割勘課金処理システムは、共同購入端末６００、携帯端末６３０、課金サーバ６１０、配信装置１２０、任意端末６４０とで構成される。ここで、任意端末６４０とは、ユーザの入力によりコンテンツを選択することができ、各携帯端末６３０が選択したコンテンツの課金情報（Ｍ）を受信してそれとは別の共同購入端末６００で共同購入をすることができる様な端末を指す。よって、前記実施形態の共同購入端末が任意端末６４０となる場合もあるし、必要となる情報を取得済みの携帯端末が任意端末６４０となる場合もある。携帯端末６３０が任意端末６４０となる場合、一つの携帯端末６３０から他の携帯端末６３０がコンテンツに関する情報を取得し、割勘でそのコンテンツを購入という処理を行うことが可能になる。
【０１３７】
次に、図３０に示す各手段について説明する。本実施形態の任意端末６４０は、コンテンツ選択手段６４１、割勘購入ＩＤ生成手段６４２、課金情報提示手段６４３、端末間通信手段６４４を備えており、それぞれ、前記実施形態で共同購入端末や課金サーバが備えていた手段と同様の処理を行う。前述の様に、任意端末６４０はこの様な手段を備えていれば良く、前記実施形態で説明した共同購入端末を任意端末６４０として用いるものとしても良いし、割勘購入ＩＤ（ＷＩＤ）と課金情報（Ｍ）を一度取得して保持している前記実施形態の携帯端末を任意端末６４０としても良い。
【０１３８】
本実施形態の携帯端末６３０は、支払情報作成・送信手段６３１、課金結果保持手段６３２、視聴要求送信手段６３３を備えている。支払情報作成・送信手段６３１は、任意端末６４０から送信された課金情報（Ｍ）により支払情報（Ｐｙ）を作成して課金サーバ６１０に送信する。課金結果保持手段６３２は、課金処理が正常に終了した結果として課金サーバ６１０から割勘購入ＩＤ（ＷＩＤ）を取得して保持する。視聴要求送信手段６３３は、ユーザの入力により、共同購入を要求する為に割勘購入ＩＤ（ＷＩＤ）とユーザＩＤ（Ｕ）とパスワード（Ｐ）を端末間通信手段２３２を用いて共同購入端末６００に送信する。
【０１３９】
また共同購入端末６００は、共同購入要求手段６０１を備えている。共同購入要求手段６０１は、携帯端末６３０から割勘購入ＩＤ（ＷＩＤ）とユーザＩＤ（Ｕ）とパスワード（Ｐ）を視聴要求として受信すると、割勘購入ＩＤ（ＷＩＤ）毎にユーザＩＤ（Ｕ）及びパスワード（Ｐ）を共同購入要求（Ｋｄ）として保存する。
【０１４０】
図３１は本実施形態の共同購入要求（Ｋｄ）のデータ例を示す図である。図３１に示す様に共同購入要求（Ｋｄ）には、その視聴要求の行われた共同購入を識別する為の割勘購入ＩＤ（ＷＩＤ）と、視聴対象のコンテンツを受信して再生する共同購入端末６００の共同購入端末情報（Ｋ）と、当該コンテンツを購入した複数のユーザのユーザＩＤ（Ｕ）及びパスワード（Ｐ）とが格納されている。
【０１４１】
また本実施形態の課金サーバ６１０は、課金処理手段６１１、課金結果通知手段６１２、配信許可確認手段６１３を備えている。課金処理手段６１１は、各ユーザの携帯端末６３０から支払情報（Ｐｙ）を受信して課金処理を行う。課金結果通知手段６１２は、課金処理を終了したユーザのユーザＩＤ（Ｕ）、パスワード（Ｐ）及びそのユーザが送信してきた支払情報（Ｐｙ）に含まれる割勘購入ＩＤ（ＷＩＤ）、コンテンツＩＤ（Ｃ）を課金処理手段６１１から受取り、課金結果（Ｒ）として保存した後、課金が終了したユーザに割勘購入ＩＤ（ＷＩＤ）を送信する。
【０１４２】
図３２は本実施形態の課金結果（Ｒ）のデータ例を示す図である。図３２に示す様に課金結果（Ｒ）には、割勘購入ＩＤ（ＷＩＤ）と、割勘購入ＩＤで識別される共同購入により購入されたコンテンツのコンテンツＩＤ（Ｃ）と、当該コンテンツを購入した複数のユーザのユーザＩＤ（Ｕ）及びパスワード（Ｐ）とが格納されている。
【０１４３】
また配信許可確認手段６１３は、共同購入端末６００から共同購入要求（Ｋｄ）を受信すると、保存している課金結果（Ｒ）の内、割勘購入ＩＤ（ＷＩＤ）が一致するデータを選択し、それぞれに含まれるユーザＩＤ（Ｕ）とパスワード（Ｐ）が一致することを確かめた後、一致していればコンテンツＩＤ（Ｃ）と共同購入端末情報（Ｋ）を配信装置１２０に送信し、コンテンツの配信を依頼する。以下、本実施形態の割勘課金処理システムの処理手順について図を用いて説明する。
【０１４４】
図３３は本実施形態の共同購入端末６００の処理手順を示すフローチャートである。図３３に示す様に共同購入端末６００の共同購入要求手段６０１は、課金処理が正常に終了した共同購入の割勘購入ＩＤ（ＷＩＤ）を携帯端末６３０から受信し、その割勘購入ＩＤ（ＷＩＤ）を示す共同購入要求を課金サーバ６１０に送信して、割勘購入ＩＤ（ＷＩＤ）で識別される共同購入により課金処理の行われたコンテンツの配信を要求する処理を行う。
【０１４５】
ステップ３３０１で共同購入端末６００の共同購入要求手段６０１は、携帯端末６３０からユーザＩＤ（Ｕ）、パスワード（Ｐ）、割勘購入ＩＤ（ＷＩＤ）を受信するとステップ３３０２へ進み、割勘購入ＩＤ（ＷＩＤ）別にユーザＩＤ（Ｕ）、パスワード（Ｐ）及び共同購入端末情報（Ｋ）を共同購入要求（Ｋｄ）として保存する。ステップ３３０３では、ユーザの入力により共同購入要求（Ｋｄ）を課金サーバ６１０に送信し、ステップ３３０４及びステップ３３０５にて配信装置１２０よりコンテンツ信号（Ｖ）または再生許可信号（Ｖｐ）を受信した後の処理は実施形態１と同様である。
【０１４６】
図３４は本実施形態の課金サーバ６１０の処理手順を示すフローチャートである。図３４に示す様に課金サーバ６１０の課金処理手段６１１は、共同購入されるコンテンツに対する支払情報（Ｐｙ）を各ユーザの携帯端末６３０から受信して各ユーザの支払額（Ｐｍ）の課金処理を行い、課金結果通知手段６１２は、課金処理が正常に終了した共同購入の割勘購入ＩＤ（ＷＩＤ）を課金結果として携帯端末６３０に通知する処理を行う。また配信許可確認手段６１３は、共同購入端末６００から送信された割勘購入ＩＤ（ＷＩＤ）で識別される共同購入の課金処理が正常に終了しているかどうかを確認し、その課金処理が正常に終了しているコンテンツの配信を配信装置１２０に依頼する処理を行う。
【０１４７】
ステップ３４０１で課金サーバ６１０の課金処理手段６１１は、携帯端末６３０から支払情報（Ｐｙ）を受信し、ユーザ毎に課金処理を行う。そして、その中に含まれる割勘購入ＩＤ（ＷＩＤ）毎にユーザＩＤ（Ｕ）、パスワード（Ｐ）及びコンテンツＩＤ（Ｃ）を課金結果（Ｒ）として保存する。ステップ３４０２で課金結果通知手段６１２は、携帯端末６３０に割勘購入ＩＤ（ＷＩＤ）を送信し、課金結果を通知する。
【０１４８】
ステップ３４０３で配信許可確認手段６１３は、共同購入端末６００から共同購入要求（Ｋｄ）を受信するとステップ３４０４へ進み、その受信した共同購入要求（Ｋｄ）中に含まれるユーザＩＤ（Ｕ）及びパスワード（Ｐ）が、その割勘購入ＩＤ（ＷＩＤ）に該当する課金結果（Ａ）中のユーザＩＤ（Ｕ）及びパスワード（Ｐ）と一致するかどうかを確かめる。
一致する場合にはステップ３４０５へ進み、配信装置１２０にコンテンツＩＤ（Ｃ）、共同購入端末情報（Ｋ）を送信して共同購入端末情報（Ｋ）で識別される共同購入端末６００へのコンテンツの配信を依頼し、一致しない場合にはステップ３４０６へ進み、コンテンツの配信が不可能である旨を共同購入端末６００に通知する。
【０１４９】
図３５は本実施形態の携帯端末６３０の処理手順を示すフローチャートである。図３５に示す様に携帯端末６３０の支払情報作成・送信手段６３１は、任意端末６４０から送信された課金情報（Ｍ）をユーザに示して支払額（Ｐｍ）の入力を受付け、割勘購入ＩＤ（ＷＩＤ）と前記受付けた支払額（Ｐｍ）を示す支払情報（Ｐｙ）を作成して課金サーバ６１０に送信する処理を行う。また課金結果保持手段６３２は、課金処理が正常に終了したコンテンツの割勘購入ＩＤ（ＷＩＤ）を保持する処理を行い、視聴要求送信手段６３３は、前記保持した割勘購入ＩＤ（ＷＩＤ）を指定して当該コンテンツの配信要求を共同購入端末６００に送信する処理を行う。
【０１５０】
ステップ３５０１で携帯端末６３０の支払情報作成・送信手段６３１は、任意端末６４０より割勘購入ＩＤ（ＷＩＤ）、課金情報（Ｍ）を受信するとステップ３５０２へ進み、ユーザの入力によりユーザＩＤ（Ｕ）、パスワード（Ｐ）、支払額（Ｐｍ）を取得し、支払情報（Ｐｙ）を作成して課金サーバ６１０に課金を依頼する。
ステップ３５０３で課金結果保持手段６３２は、課金サーバ６１０より課金が終了した旨を通知する割勘購入ＩＤ（ＷＩＤ）を受信してメモリに保持する。またステップ３５０４で視聴要求送信手段６３３は、ユーザの入力により共同購入端末６００に、ユーザＩＤ（Ｕ）、パスワード（Ｐ）及び前記保存していた割勘購入ＩＤ（ＷＩＤ）を送信し、共同購入する旨を通知する。
【０１５１】
図３６は本実施形態の任意端末６４０の処理手順を示すフローチャートである。図３６に示す様に任意端末６４０のコンテンツ選択手段６４１は、共同購入される商品であるコンテンツの選択を受け付け、割勘購入ＩＤ生成手段６４２は、前記コンテンツの共同購入を識別する為の割勘購入ＩＤ（ＷＩＤ）を生成する処理を行い、課金情報提示手段６４３は、前記生成した割勘購入ＩＤ（ＷＩＤ）と当該コンテンツの課金情報（Ｍ）とを携帯端末６３０に送信する処理を行う。
【０１５２】
ステップ３６０１で任意端末６４０のコンテンツ選択手段６４１は、前記実施形態での処理と同様にしてユーザの入力による購入コンテンツの選択を受付け、ステップ３６０２では、前記選択されたコンテンツに該当するコンテンツＩＤ（Ｃ）をメモリに保持する。
ステップ３６０３で割勘購入ＩＤ生成手段６４２は、前記選択されたコンテンツの共同購入を識別する為の割勘購入ＩＤ（ＷＩＤ）を生成し、ステップ３６０４で課金情報提示手段６４３は、コンテンツＩＤ（Ｃ）を含む課金情報（Ｍ）と割勘購入ＩＤ（ＷＩＤ）を携帯端末６３０に送信する。
【０１５３】
図３７は本実施形態の任意端末６４０、携帯端末６３０、共同購入端末６００、課金サーバ６１０、配信装置１２０の間のシーケンスを示す図である。図３７に示す様に任意端末６４０において、コンテンツの選択処理を行った後、割勘購入ＩＤ（ＷＩＤ）を生成して割勘購入ＩＤ（ＷＩＤ）と課金情報（Ｍ）を携帯端末６３０に送信する。
【０１５４】
携帯端末６３０は、これらの情報を受信すると、ユーザの入力に従い支払情報（Ｐｙ）の作成処理を行い、課金サーバ６１０に送信する。課金サーバ６１０は受信した支払情報（Ｐｙ）に従い、各ユーザ毎に課金処理を行う。そして課金結果（Ｒ）を保存すると共に課金結果の通知として、割勘購入ＩＤ（ＷＩＤ）を携帯端末６３０に送信する。
携帯端末６３０は受信した割勘購入ＩＤ（ＷＩＤ）を保存し、ユーザの入力により、ユーザＩＤ（Ｕ）、パスワード（Ｐ）及び割勘購入ＩＤ（ＷＩＤ）を共同購入端末６００に送信して購入要求処理を行う。
【０１５５】
これらを受信した共同購入端末６００は、共同購入要求（Ｋｄ）を作成して課金サーバ６１０に送信し、共同購入要求処理を行う。共同購入要求（Ｋｄ）を受信した課金サーバ６１０は、配信許可確認処理を行い、コンテンツＩＤ（Ｃ）及び共同購入端末情報（Ｋ）を配信装置１２０に送信してコンテンツの配信を依頼する。その後のシーケンスは実施形態５までと同様である。
【０１５６】
以上説明した様に本実施形態の割勘課金処理システムによれば、共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【０１５７】
【発明の効果】
本発明によれば共同購入される商品の課金情報に対して複数のユーザから入力された支払額の合計が当該商品の購入代金に達している場合に各ユーザ毎の課金処理を行ってその商品を共同購入端末へ提供するので、ある商品を単一の端末上で複数のユーザによって同時に利用する際に、支払う意志のある複数のユーザに対して各ユーザの希望する負担割合や負担金額で課金処理を行った後に商品を提供することが可能である。
【図面の簡単な説明】
【図１】実施形態１の割勘課金処理システムの構成例を示す図である。
【図２】実施形態１の割勘情報（Ｗ）のデータ例を示す図である。
【図３】実施形態１の課金テーブルの一例を示す図である。
【図４】実施形態１の共同購入端末１００の処理手順を示すフローチャートである。
【図５】実施形態１の課金サーバ１１０の処理手順を示すフローチャートである。
【図６】実施形態１の配信装置１２０の処理手順を示すフローチャートである。
【図７】実施形態１の共同購入端末１００と課金サーバ１１０と配信装置１２０の間のシーケンスを示す図である。
【図８】実施形態２の割勘課金処理システムの構成例を示す図である。
【図９】実施形態２の支払情報（Ｐｙ）のデータ例を示す図である。
【図１０】実施形態２の共同購入端末２００の処理手順を示すフローチャートである。
【図１１】実施形態２の割勘情報（Ｗ）のデータ例を示す図である。
【図１２】実施形態２の携帯端末２３０の処理手順を示すフローチャートである。
【図１３】実施形態２の携帯端末２３０、共同購入端末２００、課金サーバ１１０、配信装置１２０の間のシーケンスを示す図である。
【図１４】実施形態３の割勘課金処理システムの構成例を示す図である。
【図１５】実施形態３の共同購入端末３００の処理手順を示すフローチャートである。
【図１６】実施形態３の課金サーバ３１０の処理手順を示すフローチャートである。
【図１７】実施形態３の携帯端末３３０の処理手順を示すフローチャートである。
【図１８】実施形態３の支払情報（Ｐｙ）のデータ例を示す図である。
【図１９】実施形態３の携帯端末３３０、共同購入端末３００、課金サーバ３１０、配信装置１２０の間のシーケンスを示す図である。
【図２０】実施形態４の割勘課金処理システムの構成例を示す図である。
【図２１】実施形態４の共同購入端末４００の処理手順を示すフローチャートである。
【図２２】実施形態４の課金サーバ４１０の処理手順を示すフローチャートである。
【図２３】実施形態４の携帯端末４３０の処理手順を示すフローチャートである。
【図２４】実施形態４の携帯端末４３０、共同購入端末４００、課金サーバ４１０、配信装置１２０の間のシーケンスを示す図である。
【図２５】実施形態５の割勘課金処理システムの構成例を示す図である。
【図２６】実施形態５の共同購入端末５００の処理手順を示すフローチャートである。
【図２７】実施形態５の課金サーバ５１０の処理手順を示すフローチャートである。
【図２８】実施形態５の携帯端末５３０の処理手順を示すフローチャートである。
【図２９】実施形態５の携帯端末５３０、共同購入端末５００、課金サーバ５１０、配信装置１２０の間のシーケンスを示す図である。
【図３０】実施形態６の割勘課金処理システムの構成例を示す図である。
【図３１】実施形態６の共同購入要求（Ｋｄ）のデータ例を示す図である。
【図３２】実施形態６の課金結果（Ｒ）のデータ例を示す図である。
【図３３】実施形態６の共同購入端末６００の処理手順を示すフローチャートである。
【図３４】実施形態６の課金サーバ６１０の処理手順を示すフローチャートである。
【図３５】実施形態６の携帯端末６３０の処理手順を示すフローチャートである。
【図３６】実施形態６の任意端末６４０の処理手順を示すフローチャートである。
【図３７】実施形態６の任意端末６４０、携帯端末６３０、共同購入端末６００、課金サーバ６１０、配信装置１２０の間のシーケンスを示す図である。
【符号の説明】
１００…共同購入端末、１１０…課金サーバ、１２０…配信装置、１０１…入力手段、１０２…コンテンツ選択手段、１０３…共同購入端末情報保持手段、１０４…割勘情報作成・送信手段、１０５…コンテンツ信号受信・再生処理手段、１１１…課金情報提示手段、１１２…課金処理手段、１２１…配信手段、２００…共同購入端末、２３０…携帯端末、２０１…割勘購入ＩＤ生成手段、２０２…支払情報入力依頼手段、２０３…端末間通信手段、２０４…割勘情報作成・送信手段、２３１…支払情報作成手段、２３２…端末間通信手段、２３３…入力手段、３００…共同購入端末、３１０…課金サーバ、３３０…携帯端末、３０１…支払情報入力・送信依頼手段、３１１…課金処理手段、３３１…支払情報作成・送信手段、４００…共同購入端末、４１０…課金サーバ、４３０…携帯端末、４０１…コンテンツ選択手段、４０２…課金情報要求手段、４１１…課金情報提示手段、４３１…支払情報作成・送信手段、４３２…携帯端末情報保持手段、５００…共同購入端末、５１０…課金サーバ、５３０…携帯端末、５１１…課金情報提示手段、５１２…課金処理手段、５３１…課金情報要求手段、５３２…支払情報作成・送信手段、６００…共同購入端末、６１０…課金サーバ、６３０…携帯端末、６４０…任意端末、６０１…共同購入要求手段、６１１…課金処理手段、６１２…課金結果通知手段、６１３…配信許可確認手段、６３１…支払情報作成・送信手段、６３２…課金結果保持手段、６３３…視聴要求送信手段、６４１…コンテンツ選択手段、６４２…割勘購入ＩＤ生成手段、６４３…課金情報提示手段、６４４…端末間通信手段。
【図１】
0003995920.tif 000002
【図２】
0003995920.tif 000003
【図３】
0003995920.tif 000004
【図４】
0003995920.tif 000005
【図５】
0003995920.tif 000006
【図６】
0003995920.tif 000007
【図７】
0003995920.tif 000008
【図８】
0003995920.tif 000009
【図９】
0003995920.tif 000010
【図１０】
0003995920.tif 000011
【図１１】
0003995920.tif 000012
【図１２】
0003995920.tif 000013
【図１３】
0003995920.tif 000014
【図１４】
0003995920.tif 000015
【図１５】
0003995920.tif 000016
【図１６】
0003995920.tif 000017
【図１７】
0003995920.tif 000018
【図１８】
0003995920.tif 000019
【図１９】
0003995920.tif 000020
【図２０】
0003995920.tif 000021
【図２１】
0003995920.tif 000022
【図２２】
0003995920.tif 000023
【図２３】
0003995920.tif 000024
【図２４】
0003995920.tif 000025
【図２５】
0003995920.tif 000026
【図２６】
0003995920.tif 000027
【図２７】
0003995920.tif 000028
【図２８】
0003995920.tif 000029
【図２９】
0003995920.tif 000030
【図３０】
0003995920.tif 000031
【図３１】
0003995920.tif 000032
【図３２】
0003995920.tif 000033
【図３３】
0003995920.tif 000034
【図３４】
0003995920.tif 000035
【図３５】
0003995920.tif 000036
【図３６】
0003995920.tif 000037
【図３７】
0003995920.tif 000038